(57)【要約】【課題】ダミー走査電極を駆動するためのコストアップを招くことなく走査電極の１本目あるいはＮ本目の各表示画素群に生じる不均一な表示を確実に解消できる表示装置を提供する。【解決手段】  表示装置を、Ｎ本の正規の走査電極１１とマトリクス状に配設された複数の正規の画素電極５とそれらの間に設けられた誘電性材料層とを備えたものとする。Ｎ本のうち１本目の走査電極１１の外側に隣接し且つ１本目の走査電極１１に並行して延びるように第１ダミー走査電極１１ａを設ける。第１ダミー走査電極１１ａを、１本目の走査電極１１に走査信号が印加された際の第１ダミー走査電極１１ａの電圧が、２本目からＮ本目のいずれかの走査電極１１に走査信号が印加された際のその走査電極１１に隣接した番号の小さい方の走査電極１１の電圧と等しくなるように、Ｎ本のうちいずれかの走査電極に接続する。【選択図】図１
2006072366.tif 000002
【特許請求の範囲】
【請求項１】
相互に並行して延びるように番号１から番号Ｎまで番号順に設けられたＮ本の正規の走査電極と、該Ｎ本の走査電極のそれぞれに対向し且つ該走査電極に沿って並ぶ電極群を形成してマトリクス状に配設された複数の正規の画素電極と、該走査電極と該画素電極との間に設けられた誘電性材料層と、を備え、
上記Ｎ本の走査電極のうち１本目の走査電極の外側に隣接し且つ該１本目の走査電極に並行して延びるように設けられた第１ダミー走査電極をさらに備え、
上記第１ダミー走査電極は、上記１本目の走査電極に走査信号が印加されて選択状態となった際の該第１ダミー走査電極の電圧が、上記Ｎ本の走査電極のうち２本目からＮ本目のいずれかの走査電極に走査信号が印加されて選択状態となった際に該選択状態となった走査電極に隣接した番号の小さい方の走査電極の電圧と等しくなるように、上記Ｎ本の走査電極のうちいずれかの走査電極に接続されていることを特徴とする表示装置。
【請求項２】
相互に並行して延びるように番号１から番号Ｎまで番号順に設けられたＮ本の正規の走査電極と、該Ｎ本の走査電極のそれぞれに対向し且つ該走査電極に沿って並ぶ電極群を形成してマトリクス状に配設された複数の正規の画素電極と、該走査電極と該画素電極との間に設けられた誘電性材料層と、を備え、
上記Ｎ本の走査電極のうち１本目の走査電極の外側に隣接し且つ該１本目の走査電極に並行して延びるように設けられた第１ダミー走査電極をさらに備え、
上記Ｎ本の走査電極は、時分割方式で走査信号が順次印加されるように構成されており、
上記第１ダミー走査電極は、上記１本目の走査電極に走査信号が印加されて選択状態となった際の該第１ダミー走査電極の電圧が、上記Ｎ本の走査電極のうち２本目からＮ本目のいずれかの走査電極に走査信号が印加されて選択状態となった際に該選択状態となった走査電極に隣接した番号の小さい方の走査電極の電圧と等しくなるように、上記Ｎ本の走査電極のうち１本目以外のいずれかの走査電極に接続されていることを特徴とする表示装置。
【請求項３】
相互に並行して延びるように番号１から偶数である番号Ｎまで番号順に設けられたＮ本の正規の走査電極と、該Ｎ本の走査電極のそれぞれに対向し且つ該走査電極に沿って並ぶ電極群を形成してマトリクス状に配設された複数の正規の画素電極と、該走査電極と該画素電極との間に設けられた誘電性材料層と、を備え、
上記Ｎ本の走査電極のうち１本目の走査電極の外側に隣接し且つ該１本目の走査電極に並行して延びるように設けられた第１ダミー走査電極をさらに備え、
上記Ｎ本の走査電極は、時分割方式で且つ走査電極毎に走査信号の極性が交互に反転するライン反転駆動方式で走査信号が順次印加されるように構成されており、
上記第１ダミー走査電極は、上記Ｎ本の走査電極のうち１本目以外のいずれか奇数番号の走査電極に接続されていることを特徴とする表示装置。
【請求項４】
請求項１乃至３のいずれかに記載された表示装置において、
１本目の走査電極に対向して設けられた１行目の画素電極の電極群の外側に隣接し且つ上記第１ダミー走査電極に対向して設けられた第１ダミー画素電極の電極群をさらに備えたことを特徴とする表示装置。
【請求項５】
請求項４に記載された表示装置において、
上記第１ダミー画素電極の電極群とそれに隣接した上記１行目の画素電極の電極群との離間距離の方が、上記第１ダミー走査電極とそれに隣接した上記１本目の走査電極との離間距離よりも短いことを特徴とする表示装置。
【請求項６】
請求項４に記載された表示装置において、
上記第１ダミー画素電極の電極群とそれに隣接した上記１行目の画素電極の電極群との離間距離が、上記画素電極の電極群相互間の離間距離に等しいことを特徴とする表示装置。
【請求項７】
請求項４に記載された表示装置において、
上記第１ダミー画素電極及び上記複数の画素電極は、いずれも平面形状の外形寸法が同一に形成されていることを特徴とする表示装置。
【請求項８】
請求項１乃至３のいずれかに記載された表示装置において、
上記第１ダミー走査電極の外側に設けられた走査電極側第３ダミー電極をさらに備えたことを特徴とする表示装置。
【請求項９】
請求項４に記載された表示装置において、
上記第１ダミー画素電極の電極列の外側に設けられた画素電極側第３ダミー電極をさらに備えたことを特徴とする表示装置。
【請求項１０】
請求項９に記載された表示装置において、
上記画素電極側第３ダミー電極は、上記第１ダミー画素電極の電極列に並設されたダミーの画素電極の電極列で構成されていることを特徴とする表示装置。
【請求項１１】
請求項１０に記載された表示装置において、
上記画素電極側第３ダミー電極の電極群は複数行配設されていることを特徴とする表示装置。
【請求項１２】
請求項１１に記載された表示装置において、
上記画素電極側第３ダミー電極の電極群の配設ピッチが、上記画素電極の配設ピッチよりも短いことを特徴とする表示装置。
【請求項１３】
請求項１に記載された表示装置において、
Ｎ本目の走査電極の外側に隣接し且つ該Ｎ本目の走査電極に並行して延びるように設けられた第２ダミー走査電極をさらに備え、
上記第２ダミー走査電極は、上記Ｎ本目の走査電極に走査信号が印加されて選択状態となった際の該第２ダミー走査電極の電圧が、上記Ｎ本の走査電極のうち１本目からＮ−１本目のいずれかの走査電極に走査信号が印加されて選択状態となった際に該選択状態となった走査電極に隣接した番号の大きい方の走査電極の電圧と等しくなるように、上記Ｎ本の走査電極のうちいずれかの走査電極に接続されていることを特徴とする表示装置。
【請求項１４】
請求項２に記載された表示装置において、
Ｎ本目の走査電極の外側に隣接し且つ該Ｎ本目の走査電極に並行して延びるように設けられた第２ダミー走査電極をさらに備え、
上記第２ダミー走査電極は、上記Ｎ本目の走査電極に走査信号が印加されて選択状態となった際の該第２ダミー走査電極の電圧が、上記Ｎ本の走査電極のうち１本目からＮ−１本目のいずれかの走査電極に走査信号が印加されて選択状態となった際に該選択状態となった走査電極に隣接した番号の大きい方の走査電極の電圧と等しくなるように、上記Ｎ本の走査電極のうちＮ本目以外のいずれかの走査電極に接続されていることを特徴とする表示装置。
【請求項１５】
請求項３に記載された表示装置において、
Ｎ本目の走査電極の外側に隣接し且つ該Ｎ本目の走査電極に並行して延びるように設けられた第２ダミー走査電極をさらに備え、
上記第２ダミー走査電極は、上記Ｎ本の走査電極のうちＮ本目以外のいずれか偶数番号の走査電極に接続されていることを特徴とする表示装置。
【請求項１６】
相互に並行して延びるように番号１から番号Ｎまで番号順に設けられたＮ本の正規の走査電極と、該Ｎ本の走査電極のそれぞれに対向し且つ該走査電極に沿って並ぶ電極群を形成してマトリクス状に配設された複数の正規の画素電極と、該走査電極と該画素電極との間に設けられた誘電性材料層と、を備え、
上記Ｎ本の走査電極のうちＮ本目の走査電極の外側に隣接し且つ該Ｎ本目の走査電極に並行して延びるように設けられた第２ダミー走査電極をさらに備え、
上記第２ダミー走査電極は、上記Ｎ本目の走査電極に走査信号が印加されて選択状態となった際の該第２ダミー走査電極の電圧が、上記Ｎ本の走査電極のうち１本目からＮ−１本目のいずれかの走査電極に走査信号が印加されて選択状態となった際に該選択状態となった走査電極に隣接した番号の大きい方の走査電極の電圧と等しくなるように、上記Ｎ本の走査電極のうちいずれかの走査電極に接続されていることを特徴とする表示装置。
【請求項１７】
相互に並行して延びるように番号１から番号Ｎまで番号順に設けられたＮ本の正規の走査電極と、該Ｎ本の走査電極のそれぞれに対向し且つ該走査電極に沿って並ぶ電極群を形成してマトリクス状に配設された複数の正規の画素電極と、該走査電極と該画素電極との間に設けられた誘電性材料層と、を備え、
上記Ｎ本の走査電極のうちＮ本目の走査電極の外側に隣接し且つ該Ｎ本目の走査電極に並行して延びるように設けられた第２ダミー走査電極をさらに備え、
上記第２ダミー走査電極は、上記Ｎ本目の走査電極に走査信号が印加されて選択状態となった際の該第２ダミー走査電極の電圧が、上記Ｎ本の走査電極のうち１本目からＮ−１本目のいずれかの走査電極に走査信号が印加されて選択状態となった際に該選択状態となった走査電極に隣接した番号の大きい方の走査電極の電圧と等しくなるように、上記Ｎ本の走査電極のうちＮ本目以外のいずれかの走査電極に接続されていることを特徴とする表示装置。
【請求項１８】
相互に並行して延びるように番号１から偶数である番号Ｎまで番号順に設けられたＮ本の正規の走査電極と、該Ｎ本の走査電極のそれぞれに対向し且つ該走査電極に沿って並ぶ電極群を形成してマトリクス状に配設された複数の正規の画素電極と、該走査電極と該画素電極との間に設けられた誘電性材料層と、を備え、
上記Ｎ本の走査電極のうちＮ本目の走査電極の外側に隣接し且つ該Ｎ本目の走査電極に並行して延びるように設けられた第２ダミー走査電極をさらに備え、
上記第２ダミー走査電極は、上記Ｎ本の走査電極のうちＮ本目以外のいずれか偶数番号の走査電極に接続されていることを特徴とする表示装置。
【請求項１９】
請求項１３乃至１８のいずれかに記載された表示装置において、
Ｎ本目の走査電極に対向して設けられたＮ行目の画素電極の電極群の外側に隣接し且つ上記第２ダミー走査電極に対向して設けられた第２ダミー画素電極の電極群をさらに備えたことを特徴とする表示装置。
【請求項２０】
請求項１９に記載された表示装置において、
上記第２ダミー画素電極の電極群とそれに隣接した上記Ｎ行目の画素電極の電極群との離間距離の方が、上記第２ダミー走査電極とそれに隣接した上記Ｎ本目の走査電極との離間距離よりも短いことを特徴とする表示装置。
【請求項２１】
請求項１９に記載された表示装置において、
上記第２ダミー画素電極の電極群とそれに隣接した上記Ｎ行目の画素電極の電極群との離間距離が、上記画素電極相互間の離間距離に等しいことを特徴とする表示装置。
【請求項２２】
請求項１９に記載された表示装置において、
上記第２ダミー画素電極及び上記複数の画素電極は、いずれも平面形状の外形寸法が同一に形成されていることを特徴とする表示装置。
【請求項２３】
請求項１３乃至１８のいずれかに記載された表示装置において、
上記第２ダミー走査電極の外側に設けられた走査電極側第４ダミー電極をさらに備えたことを特徴とする表示装置。
【請求項２４】
請求項１９に記載された表示装置において、
上記第２ダミー画素電極の電極列の外側に設けられた画素電極側第４ダミー電極をさらに備えたことを特徴とする表示装置。
【請求項２５】
請求項２４に記載された表示装置において、
上記画素電極側第４ダミー電極は、上記第２ダミー画素電極の電極列に並設されたダミーの画素電極の電極列で構成されていることを特徴とする表示装置。
【請求項２６】
請求項２５に記載された表示装置において、
上記画素電極側第４ダミー電極の電極群は複数行配設されていることを特徴とする表示装置。
【請求項２７】
請求項２６に記載された表示装置において、
上記画素電極側第４ダミー電極の電極群の配設ピッチが、上記画素電極の配設ピッチよりも短いことを特徴とする表示装置。
【発明の詳細な説明】
【技術分野】
【０００１】
本発明は、表示装置に関するものであり、より具体的には、ダミー走査電極の駆動のためのコストアップを要しないその配設構造の改良に係るものである。
【背景技術】
【０００２】
近年、平面型表示装置が実用化されており、特に液晶表示装置が広く使用されている。
【０００３】
液晶表示装置には様々な形態のものがあるが、ここでは薄膜ダイオードをスイッチング素子として有するアクティブ駆動型液晶表示装置を例として説明する。
【０００４】
図１４は、液晶表示装置の構成を示した斜視図である。図１５は、液晶表示装置を構成している液晶セル１００の平面図である。図１６は、１表示画素の近傍の拡大図である。
【０００５】
液晶表示装置は、液晶セル１００、データ信号回路基板７及び走査信号回路基板１３から構成され、液晶セル１００とデータ信号回路基板７及び走査信号回路基板１３のそれぞれとはＴＣＰ（Tape Carrier Package）方式の実装形態によって駆動ＩＣチップ８、１４に電気的に接続されている。図１４では、駆動ＩＣチップを走査信号回路側に３個、データ信号回路側に４個積載した形態を示している。尚、駆動ＩＣチップの実装はＴＣＰ方式の他、ＣＯＧ（Chip On Glass）方式も実用化されている。
【０００６】
液晶セル１００は、図１５に示すように、薄膜ダイオード４を有する素子側基板１、対向側基板１０及び偏光板に代表される光学フィルム１５から構成されている。
【０００７】
素子側基板１上には、所定の間隔でマトリクス状に画素電極５が配設され、各画素電極５は薄膜ダイオード４を介して信号配線２に接続され、信号配線２は素子側端子電極６に引き出されている。信号配線２は直線ではなく屈曲した形状の場合もある。
【０００８】
対向側基板１０上には、ストライプ状の走査電極１１が所定間隔をおいて複数配設されており、各走査電極１１は基板端に設けられた対向側端子電極１２に引き出されている。尚、表示画素配列によっては走査電極１１が単純なストライプではなく屈曲した形状になる場合もある。
【０００９】
素子側基返１及び対向側基板１０は、それぞれの電極表面に配向処理が施された後に、電極が向かいあい且つ一定の間隔を保持するように所定の径を有するプラスチックビーズ等のスペーサを基板間に配置するとともにシール材９を介して貼り合わされており、両基板間に形成された空隙に液晶材料が封入されている。
【００１０】
薄膜ダイオード４は、図１６に示すように、下部電極２ａ、下部電極２ａを覆うように形成された絶縁体（図示せず）及び上部電極４から構成され、所謂ＭＩＭ（Metal Insulator Metal）構造のものである。このようなＭＩＭ素子の構成材料は、下部電極２ａとしてＴａ、絶縁体としてＴａの酸化膜ＴａＯｘ、上部電極としてＣｒやＴｉが実用化されている。また、薄膜ダイオード４は、図示したような下部電極２ａと上部電極４が単純に交差する構造の他に、ダイオードリング構造、back to back構造と呼ばれる構造のものも提案されている。
【００１１】
以上のような構成の液晶表示装置においては、画素電極５と走査電極１１との重なり合う領域が１つの表示画素となり、この表示画素がマトリクス状に配列して矩形状の表示画素群を構成している。そして、両端に高い電圧が印加された時に低抵抗となり且つ低い電圧が印加されたときに高抵抗になるという薄膜ダイオード４の性質を利用し、所定の信号を素子側端子電極６と対向側端子電極１２とに与えて各表示画素に印加する信号電圧を調整することにより各表示画素の液晶分子の配向状態を制御し、それによって透過する光量を制御して所定の濃度の表示を行うようになっている。
【００１２】
図１７は、この液晶表示装置の駆動方法の概略を示したものであり、一般には、図に示すように、パルスを有する走査信号Ｓを各対向側端子電極１２に時間をずらして順次与え、そのパルスが与えられた時間にその走査電極１１が構成する表示画素群を選択状態とし、素子側端子６から表示画素が表示すべき濃度に基づいたデータ信号Ｄを信号配線２及び薄膜ダイオード４を経て画素電極５に与えて書き込むいわゆる時分割駆動が行われる。
【００１３】
ここで、各画素電極５へのデータの書き込みは選択期間Ｔ1のみに行われ、走査信号Ｓのパルスが与えられない非選択期間Ｔ2には各表示画素に設けられたアクティブ素子によってデータを書き込んだ状態が保持されるようになっている。そして、表示画面全体の表示は、表示画面を構成する走査電極１１を順次選択状態としてデータの書き込みを行うことにより実現される。尚、走査信号Ｓは、表示画面の１走査時間（１フレーム＝Ｔ1＋Ｔ2）単位に信号の極性を交互に切り替えられることが多い。これは液晶層に直流が印加され続けると液晶材料の劣化が起こるのでこれを避けるためである。また、走査信号Ｓは、隣接した走査電極１１同士においても信号の極性が切り替えられることが多い。これは１フレーム単位のみの極性切り替えでは、極性差による画面のちらつき（フリッカ）が目に付き易く、走査電極１１単位に極性を切り替えるとちらつきの空間周波数が高くなりちらつきが目立たなくなる効果があるからである。図１７に示す駆動方法では、１フレーム単位の走査信号Ｓの極性切り替え（フレーム反転駆動）と走査電極１１単位の走査信号Ｓの極性切り替え（ライン反転駆動）とを行っている。走査信号１１の極性の切り替えに応じてデータ信号Ｄの極性も切り替えることはいうまでもない。
【００１４】
また、非選択期間Ｔ2に保持電圧ＶHを印加する駆動方法もある。図１８は、そのような非選択期間Ｔ2に保持電圧ＶHを印加する駆動方法の概略を示したものである。
【００１５】
図１８に示す駆動方法は、図１７のものとほぼ同一であるが、非選択期間Ｔ2に走査電極１１に保持電圧ＶH（−ＶH）を印加している点が異なる。これは非選択期間中に画素電極に書き込んだデータを維持し易くなるように行われるものであり、走査信号Ｓのライン反転駆動を行う場合は、図１８に示すように、保持電圧ＶHの極性もまた走査電極１１単位で切り替わる。
【００１６】
ところで、薄膜ダイオードのような２端子スイッチング素子を配した液晶表示装置においては、ある表示画素の周辺に生じる容量結合ＣSの影響がその表示画素の表示に反映され易いことが知られている（例えば、図１６参照）。すなわち、ある表示画素の周辺の電極の配置の形態の違いや周辺の電圧の変動があると、それらがその表示画素に影響を及ぼすことにより表示濃度の違いとなって発生し、表示の不均一が生じることがある。
【００１７】
このような不均一な表示が発生する位置の例として、Ｎ本の走査電極を有するものにおいて、１本目の走査電極が構成する表示画素群と、Ｎ本目の走査電極が構成する表示画素群とを挙げることができる。これは、走査信号が走査電極の１本目からＮ本目に向かって順に印加されるが、１本目及びＮ本目の走査電極ではその一方側にしか隣接した走査電極がないため、これらの走査電極が構成する表示画素は、他の走査電極（Ｎ本の走査電極があるとした場合では２本目からＮ−１本目までの各走査電極を指す）が構成する表示画素よりも隣接した表示画素数が少なく、隣接した表示画素から受ける電気的影響の度合いが他の走査電極と比較して異なることを原因としている。
【００１８】
この表示濃度の乱れは比較的小さく、仮に１つの表示画素でこのような表示濃度の乱れが発生しても目立たない程度であるが、１本の走査電極が構成する表示画素全てに発生すると目立ち易くなる。特にＯＡ用途の表示でよく見られる中間レベルの表示濃度の表示を背景にした表示の場合に目立ち易い。
【００１９】
これに対して、特許文献１には、正規の走査電極の最初と最後のもののそれぞれの外側にダミー走査電極を設けることについて開示されている。具体的には、図１９に示すように、例えば、正規の走査電極がＮ本ある場合、第０本目と第Ｎ＋１本目の走査電極に対応する位置にダミー走査電極１１ａ、１１ｂとこれらのダミー走査電極１１ａ，１１ｂに対向するダミー画素電極５ａ、５ｂとを配置して、それぞれのダミー走査電極１１ａ，１１ｂにダミー走査信号を与えるものである。また、同公報には変形例として、図２０に示すように、第０本位置のダミー走査電極１１ａを第Ｎ＋１本位置のダミー走査電極１１ｂに接続した表示装置が提案されている。
【００２０】
ここで、ダミー走査電極１１ａ，１１ｂを駆動させる為には、ダミー走査電極１１ａ，１１ｂに接続されたダミー対向側端子電極１２ａ，１２ｂを新規に設けると共に、走査信号回路や駆動ＩＣチップとしてダミー対向側端子電極１２ａ，１２ｂを駆動できるものを用いなければならない。
【００２１】
しかしながら、このような正規の出力に加えて新たな出力に対応できる駆動ＩＣチップは新たな製造コストの増加を生じさせる。すなわち、図１９に示される構成に基づけば、走査信号回路側の駆動ＩＣチップは１種類のチップを３個積載で済んでいたものが、ダミーの対向側端子電極を設けたために３種類のチップを準備しなければならなくなる。これは、部品の共通化によるコスト削減ができなくなるという問題だけでなく、非常に良く似た３種類の駆動ＩＣチップを所定の位置に取り付ける必要があり、製造工程において取り付けミス等が発生し易く作業性が劣るという問題をも生じさせる。このような問題は、図２０に示される構成でも生じる。すなわち、１種類の駆動ＩＣチップを複数個積載する表示装置においては、ダミー走査電極１１ａ，１１ｂからダミー信号を出力させるために製造コストの増加を避けることができないのである。
【００２２】
尚、特許文献２には、対向基板が共通電極であるアクティブマトリックス方式、すなわち、薄膜トランジスタ（ＴＦＴ）を用いた液晶表示装置における類似の表示不均一を解決すべく、最上段の走査配線の外側にダミー走査配線を設け、そのダミー走査配線を最下段の走査配線に接続したものが開示されており、かかる構成によれば、ダミー走査電極に固有の走査信号を新たに生成する必要がないとの内容が記載されている。この構成では、最上段の走査電極外側のダミー走査電極を最下段の走査電極に接続すべく、かなり大きな迂回配線を形成している。
【００２３】
特許文献３には、主面に走査信号ラインと表示信号ラインとをＸＹマトリクス状に配置し、この走査信号ラインと表示信号ラインとにより区画された領域に薄型トランジスタ（ＴＦＴ）及び画素電極を形成した第１基板と、第１基板の主面に対向して設けられた第２基板と、それらの基板間に設けられた液晶層とを備えた液晶表示装置であって、第１基板の最外周に並んだ画素電極を他の画素電極の形状よりも小さくすると共に、最外周の走査信号ライン及び表示信号ラインを内側に寄せることにより、非表示ダミー画素を構成したものが開示されており、かかる構成によれば、画像表示上の輝度むら及び液晶のシール性能の低下を招かずに、非表示液晶セル領域を狭くして基板の有効利用を図ることができる、との内容が記載されている。
【００２４】
特許文献４には、表示画素群領域の外側に素子を伴うダミー画素電極とさらに外側に帯状のダミー走査電極が設けられている表示装置が開示されている。
【特許文献１】特開２０００−４７２３６号公報
【特許文献２】特開平９−２８８２６０号公報
【特許文献３】特開平９−５７８０号公報
【特許文献４】特開平３−４５９３４号公報
【発明の開示】
【発明が解決しようとする課題】
【００２５】
本願の目的は、第１に、ダミー走査電極を駆動するためのコストアップを招くことなく走査電極の１本目あるいはＮ本目の各表示画素群に生じる不均一な表示を確実に解消でき、第２に、所定の機能を発揮するようにダミー走査電極が適切で新規な配置形態とされた表示装置を提供することである。
【課題を解決するための手段】
【００２６】
本発明に想到するに先立ち、発明者が液晶セルを用いて行った実験について説明する。図１２は実験の概略を示したものであり、液晶セルの駆動条件を５種類準備し、それぞれにおける液晶セルの表示状態を調べた。
【００２７】
液晶セルとして、薄膜ダイオードを使用した４８０×３２０ドットの白黒表示型で、表示画素ピッチが２４０μｍ、ＴＮモードの配向をさせたノーマリホワイト型の光学系を有するものを用いた。
【００２８】
実験にあたっては、液晶セルのデータ電極側の全てを接地し、走査電極を二つの領域に分け、一方にＡ波形、他方にＢ波形を与え、電圧を変化させながらそれぞれの駆動波形領域の境界における表示画素（ドット）の表示の濃淡を観察した。
【００２９】
この実験は、隣接した走査電極が構成する表示画素間に生じる容量結合が表示濃度に与える影響を調べることを目的とした。すなわちＡ波形とＢ波形で駆動した２つの領域の境界でなんらかの表示濃度の変化が生じれば、どんな駆動条件時に表示の乱れが発生するのかを定性的に把握することができる。駆動条件は、基本波形をＢ波形とし、Ａ波形を５種類に変えて液晶セルを観察した。基本波形であるＢ波形は、１／３２０デューティー、フレーム周波数６０Ｈｚの走査信号に相当するパルスを極性を変えながら有する波形とした。
【００３０】
実験(i)  Ａ波形：Ｂ波形を同極性で１パルス単位でずらした波形。実際の液晶表示装置におけるフレーム反転のみの駆動を模している。
【００３１】
実験(ii)  Ａ波形：Ｂ波形を逆極性に１パルス単位でずらした波形。実際の液晶表示装置におけるフレーム反転とライン反転の駆動を模している。
【００３２】
実験(iii)  Ａ波形：Ｂ波形を同一極性で同一タイミングとした波形。
【００３３】
実験(iv)  Ａ波形：Ｂ波形を逆極性で同一タイミングとした波形。
【００３４】
実験(v)  Ａ波形：Ｂ波形を接地した波形。
【００３５】
結果は以下のようになった。
【００３６】
実験(i)  駆動領域境界に接する両領域の各走査電極１本が構成する表示画素の透過率が増加した。パルスの位置を同極性でずらしてもこの点灯状態は変化しなかった。
【００３７】
実験(ii)  駆動領域境界に接する両領域の各走査電極１本が構成する表示画素の透過率が増加した。パルスの位置を逆極性でずらしてもこの点灯状態は変化しなかった。
【００３８】
実験(iii)  表示画素の透過率の変化は見られなかった。
【００３９】
実験(iv)  駆動領域境界に接する両領域の各走査電極１本が構成する表示画素の透過率が増加した。この透過率の増加は実験(i)や実験(ii)よりも大きかった。
【００４０】
実験(v)  Ｂ波形領域のＡ波形領域よりの走査電極本が構成する表示画素の透過率が上昇した。この透過率の増加は実験(i)や(ii)と同等であった。
【００４１】
上記の結果から本発明者は以下の知見（１）、（２）、（３）を得た。
（１）着目した走査電極が構成する表示画素における表示濃度の乱れは、実質的に隣接した１本の走査電極が構成する表示画素との結合容量による作用で生じる。
（２）着目した走査電極が構成する表示画素における表示濃度の乱れは、その走査電極へのパルス印加時（選択期間）に起因したものであり、パルスが無い時（非選択期間）に隣接した走査電極に与えられた印加電圧から受ける影響によって、着目した走査電極が構成する表示画素の表示濃度が影響されることはない。
（３）着目した走査電極が構成する表示画素における表示濃度に乱れの大小は、着目した走査電極のパルス印加時における、着目した走査電極の印加電圧と隣接した走査電極の印加電圧の差電圧が大きいほど大きい。
【００４２】
また、この実験から液晶表示装置において走査電極１本目（と最終本目）に生じる表示の濃度の乱れは以下のように考えられる。
【００４３】
図１３は、液晶セルの走査電極１本目から３本目に相当する部分を示した斜視図である。
【００４４】
走査電極１１の１本目から順に走査信号Ｓ1、Ｓ2、Ｓ3、…が与えられ、データ信号が信号配線２から与えられるが、図１７又は図１８で説明したとおりに、ある走査電極に走査信号のパルスが印加されたときは隣接した走査電極にパルスは無い（か一定の保持電圧）状態にある。
【００４５】
説明した実験結果から得た知見（１）に基づけば、隣接した走査電極１１が１つしか存在しない１本目の走査電極１１が構成する表示画素は、受ける電気的影響が他の走査電極１１が構成する表示画素よりも小さい為にその表示濃度が異なるものと考えられる。最終本目の走査電極が構成する表示画素においても隣接した走査電極が１つのみであるので同様に表示濃度が異なるものと考えられる。
【００４６】
すなわち、電気的影響の小さい１本目（最終本目）の走査電極１１か構成する表示画素と、影響が大きい２本目からＮ−１本目までの走査電極１１が構成する表示画素とで表示濃度が異なるのである。
【００４７】
発明者はここでこの表示濃度の乱れを生じる原因が、走査電極１１同士に生じる容量結合であるのか若しくは画素電極１１同士で生じる容量結合であるのか判断できなかった為、次に述べる実験を行った。すなわち素子側基板１に画素電極５を伴わないダミーの走査電極を０本目の位置の対向側基板１０上に形成し、このダミーの走査電極に非選択電位を与えながら液晶表示装置を駆動させ、１本目の走査電極１１が構成する表示画素の表示濃度を観察した。この結果、表示濃度の乱れの改善度合いは、画素電極５を設けた場合に比較して小さかった。
【００４８】
これは画素電極５同士の離間距離ａ（実験では６μｍ）よりも走査電極１１同士の離間距離ｂ（２０μｍ）が大きいことが原因と考えられた。また、素子側基板１上には電極材料の密着性の改善やエッチングストップの目的で酸化物などの下地膜（ベースコートとも呼称される）１６が形成されるが、酸化物として    Ｔａ2０5などの比誘電率（２０〜２５）が大きい材料が使用されることが多い。したがって、比誘電率が８〜１３である液晶層寄りに生じる寄生容量だけではなく、こうした比誘電率が大きい下地層寄りに生じる寄生容量も問題であると考えられた。
【００４９】
以上から本発明者は次の知見（４）を得た。
（４）表示を乱す容量結合は離間距離が小さい電極同士で生じる。すなわち、走査信号Ｓnが印加された走査電極と、それに隣接した走査信号Ｓn+1（Ｓn-1）が印加された走査電極との差電圧が生じると、表示画素の容量ＣLCを介して離間距離が短い画素電極５同士で容量結合ＣSが生じ、これが表示濃度を乱している。
【００５０】
尚、画素電極５同士の離間距離ａを走査電極１１同士の離間距離ｂよりも短くしているのは、開口率の確保や長距離で近接する走査電極１１同士の短絡を防ぐこと等を理由としている。一般的には、離間距離ａは４μｍ前後、離間距離ｂは１０〜２０μｍ程度である。
【００５１】
本発明の表示装置は以上の知見に基づきなされたものである。
【００５２】
具体的には、本発明の表示装置は、相互に並行して延びるように番号１から番号Ｎまで番号順に設けられたＮ本の正規の走査電極と、該Ｎ本の走査電極のそれぞれに対向し且つ該走査電極に沿って並ぶ電極群を形成してマトリクス状に配設された複数の正規の画素電極と、該走査電極と該画素電極との間に設けられた誘電性材料層と、を備え、上記Ｎ本の走査電極のうち１本目の走査電極の外側に隣接し且つ該１本目の走査電極に並行して延びるように設けられた第１ダミー走査電極をさらに備え、上記第１ダミー走査電極は、上記１本目の走査電極に走査信号が印加されて選択状態となった際の該第１ダミー走査電極の電圧が、上記Ｎ本の走査電極のうち２本目からＮ本目のいずれかの走査電極に走査信号が印加されて選択状態となった際に該選択状態となった走査電極に隣接した番号の小さい方の走査電極の電圧と等しくなるように、上記Ｎ本の走査電極のうちいずれかの走査電極に接続されていることを特徴とする。
【００５３】
上記の構成によれば、第１ダミー走査電極への信号供給源として走査電極を使用しているのので、新規に第１ダミー走査電極を駆動させるための端子電極を設ける必要がなく、走査電極の駆動回路の部品の共通化と組み立て間違いを少なくすることができ、表示装置の製造のためのコストアップを招くことがない。また、１本目の走査電極に走査信号が印加されて選択状態となった際の第１ダミー走査電極の電圧が、Ｎ本の走査電極のうち２本目からＮ本目のいずれかの走査電極に走査信号が印加されて選択状態となった際に選択状態となった走査電極に隣接した番号の小さい方の走査電極の電圧と等しくなるように、Ｎ本の走査電極のうちいずれかの走査電極に第１ダミー走査電極が接続されており、１本目の走査電極が選択状態となった際に隣接した表示画素から受ける電気的影響の度合いが他の走査電極と等しいものとなるので、走査電極の１本目の各表示画素群に生じる不均一な表示を確実に解消できる。そして、かかる表示装置の構成は、所定の機能を発揮するように第１ダミー走査電極の適切で且つ新規な配置形態とされたものである。
【００５４】
本発明は、上記Ｎ本の走査電極が時分割方式で走査信号が順次印加されるように構成されている場合、上記１本目の走査電極に走査信号が印加されて選択状態となった際の該第１ダミー走査電極の電圧が、上記Ｎ本の走査電極のうち２本目からＮ本目のいずれかの走査電極に走査信号が印加されて選択状態となった際に該選択状態となった走査電極に隣接した番号の小さい方の走査電極の電圧と等しくなるように、上記第１ダミー走査電極が上記Ｎ本の走査電極のうち１本目以外のいずれかの走査電極に接続されている構成となる。
【００５５】
また、本発明は、Ｎが偶数であり、上記Ｎ本の走査電極が時分割方式で且つ走査電極毎に走査信号の極性が交互に反転するライン反転駆動方式で走査信号が順次印加されるように構成されている場合、上記第１ダミー走査電極が上記Ｎ本の走査電極のうち１本目以外のいずれか奇数番号の走査電極に接続されている構成となる。
【００５６】
本発明は、１本目の走査電極に対向して設けられた１行目の画素電極の電極群の外側に隣接し且つ上記第１ダミー走査電極に対向して設けられた第１ダミー画素電極の電極群をさらに備えた構成であってもよい。かかる構成によれば、離間距離の小さい正規の画素電極と第１ダミー画素電極との間に効率よく容量結合を生じせしめることができ、表示画素群全体の均一表示を確実なものとできる。
【００５７】
その場合、本発明は、上記第１ダミー画素電極の電極群とそれに隣接した上記１行目の画素電極の電極群との離間距離の方が、上記第１ダミー走査電極とそれに隣接した上記１本目の走査電極との離間距離よりも短い構成であってもよい。かかる構成によれば、長尺で並行して配設される走査電極と第１ダミー走査電極との短絡を防止する可能性を高めることができ、表示装置の製造歩留まりを悪化させることがない。
【００５８】
また、本発明は、上記第１ダミー画素電極の電極群とそれに隣接した上記１行目の画素電極の電極群との離間距離が、上記画素電極の電極群相互間の離間距離に等しい構成であってもよい。かかる構成によれば、画素電極同士で生じる容量結合と、画素電極と第１ダミー画素電極との間で生じる容量結合とを等しくできるので、表示画素群全体の均一表示を確実なものとできる。
【００５９】
さらに、本発明は、上記第１ダミー画素電極及び上記複数の画素電極のいずれも、平面形状の外形寸法が同一に形成されている構成であってもよい。かかる構成によれば、画素電極同士で生じる容量結合と、画素電極と第１ダミー画素電極との間で生じる容量結合とを最も等しくできるので、表示画素群全体の均一表示を理想的で且つ最も確実なものとできる。
【００６０】
本発明は、上記第１ダミー走査電極の外側に設けられた走査電極側第３ダミー電極をさらに備えた構成であってもよい。また、上記第１ダミー画素電極の電極列の外側に設けられた画素電極側第３ダミー電極をさらに備えた構成であってもよい。これらの構成によれば、容量結合の形成を目的とした第１ダミー走査電極の他に、走査電極側第３ダミー電極及び／又は画素電極側第３ダミー電極を容量結合の形成以外の目的の自由度が高い用途に活用することができる。
【００６１】
画素電極側第３ダミー電極を設ける場合、本発明は、上記画素電極側第３ダミー電極が上記第１ダミー画素電極の電極列に並設されたダミーの画素電極の電極列で構成されている構成であってもよい。かかる構成によれば、画素電極側第３ダミー電極を静電気による表示装置の不良防止のために利用することができる。
【００６２】
また、本発明は、上記画素電極側第３ダミー電極の電極群が複数行配設されている構成であってもよい。かかる構成によれば、画素電極側第３ダミー電極の電極群を静電気による表示装置の不良防止としてより有効に利用することができる。
【００６３】
さらに、本発明は、上記画素電極側第３ダミー電極の電極群の配設ピッチが、上記画素電極の配設ピッチよりも短い構成であってもよい。かかる構成によれば、画素電極側第３ダミー電極の配設数を表示装置の外形を大きくすることなく増やすことができることから基板を大きくする必要がないので、マザー基板からの基板の採れ枚数が減らず製造コストが上がることがない。また、静電気による表示装置の不良発生を抑えるための画素電極側第３ダミー電極を多数個設けることができるので、表示装置の製造歩留まりが改善され、表示装置の製造コストを下げることができる。
【００６４】
本発明は、１本目の走査電極により構成される表示画素の不均一表示を解消するものであるが、Ｎ本目の走査電極により構成される表示画素の不均一表示を解消するために同一技術を適用することができる。
【００６５】
その別の本発明の表示装置は、相互に並行して延びるように番号１から番号Ｎまで番号順に設けられたＮ本の正規の走査電極と、該Ｎ本の走査電極のそれぞれに対向し且つ該走査電極に沿って並ぶ電極群を形成してマトリクス状に配設された複数の正規の画素電極と、該走査電極と該画素電極との間に設けられた誘電性材料層と、を備え、上記Ｎ本の走査電極のうちＮ本目の走査電極の外側に隣接し且つ該Ｎ本目の走査電極に並行して延びるように設けられた第２ダミー走査電極をさらに備え、上記第２ダミー走査電極は、上記Ｎ本目の走査電極に走査信号が印加されて選択状態となった際の該第２ダミー走査電極の電圧が、上記Ｎ本の走査電極のうち１本目からＮ−１本目のいずれかの走査電極に走査信号が印加されて選択状態となった際に該選択状態となった走査電極に隣接した番号の大きい方の走査電極の電圧と等しくなるように、上記Ｎ本の走査電極のうちいずれかの走査電極に接続されていることを特徴とする。
【００６６】
別の本発明は、上記Ｎ本の走査電極が時分割方式で走査信号が順次印加されるように構成されている場合、上記１本目の走査電極に走査信号が印加されて選択状態となった際の該第２ダミー走査電極の電圧が、上記Ｎ本の走査電極のうち１本目からＮ−１本目のいずれかの走査電極に走査信号が印加されて選択状態となった際に該選択状態となった走査電極に隣接した番号の小さい方の走査電極の電圧と等しくなるように、上記第２ダミー走査電極が上記Ｎ本の走査電極のうちＮ本目以外のいずれかの走査電極に接続されている構成となる。
【００６７】
また、別の本発明は、Ｎが偶数であり、上記Ｎ本の走査電極が時分割方式で且つ走査電極毎に走査信号の極性が交互に反転するライン反転駆動方式で走査信号が順次印加されるように構成されている場合、上記第２ダミー走査電極が上記Ｎ本の走査電極のうちＮ本目以外のいずれか偶数番号の走査電極に接続されている構成となる。
【００６８】
別の本発明は、Ｎ本目の走査電極に対向して設けられたＮ行目の画素電極の電極群の外側に隣接し且つ上記第２ダミー走査電極に対向して設けられた第２ダミー画素電極の電極群をさらに備えた構成であってもよい。
【００６９】
その場合、別の本発明は、上記第２ダミー画素電極の電極群とそれに隣接した上記Ｎ行目の画素電極の電極群との離間距離の方が、上記第２ダミー走査電極とそれに隣接した上記Ｎ本目の走査電極との離間距離よりも短い構成であってもよい。
【００７０】
また、別の本発明は、上記第２ダミー画素電極の電極群とそれに隣接した上記Ｎ行目の画素電極の電極群との離間距離が、上記画素電極相互間の離間距離に等しい構成であってもよい。
【００７１】
さらに、別の本発明は、上記第２ダミー画素電極及び上記複数の画素電極のいずれも、平面形状の外形寸法が同一に形成されている構成であってもよい。
【００７２】
別の本発明は、上記第２ダミー走査電極の外側に設けられた走査電極側第４ダミー電極をさらに備えた構成であってもよい。
【００７３】
別の本発明は、上記第２ダミー画素電極の電極列の外側に設けられた画素電極側第４ダミー電極をさらに備えた構成であってもよい。
【００７４】
その場合、別の本発明は、上記画素電極側第４ダミー電極が上記第２ダミー画素電極の電極列に並設されたダミーの画素電極の電極列で構成されている構成であってもよい。
【００７５】
また、別の本発明は、上記画素電極側第４ダミー電極の電極群が複数行配設されている構成であってもよい。
【００７６】
さらに、別の本発明は、上記画素電極側第４ダミー電極の電極群の配設ピッチが、上記画素電極の配設ピッチよりも短い構成であってもよい。
【００７７】
上記本発明と上記別の本発明とを組み合わせて、１本目及びＮ本目の両走査電極により構成される表示画素のいずれの不均一表示をも解消するようにしてもよいことはいうまでもない。
【発明の効果】
【００７８】
以上説明したように、本発明及び別の本発明によれば、第１（第２）ダミー走査電極への信号供給源として走査電極を使用しているのので、走査電極の駆動回路の部品の共通化と組み立て間違いを少なくすることができ、表示装置の製造のためのコストアップを招くことがない。また、１本目（Ｎ本目）の走査電極に走査信号が印加されて選択状態となった際の第１（第２）ダミー走査電極の電圧が、Ｎ本の走査電極のうち２本目（１本目）からＮ本目（Ｎ−１本目）のいずれかの走査電極に走査信号が印加されて選択状態となった際に選択状態となった走査電極に隣接した番号の小さい方の走査電極の電圧と等しくなるように、Ｎ本の走査電極のうちいずれかの走査電極に第１（第２）ダミー電極が接続されており、１本目（Ｎ本目）の走査電極が選択状態となった際に隣接した表示画素から受ける電気的影響の度合いが他の走査電極と等しいものとなるので、走査電極の１本目（Ｎ本目）の表示画素に生じる不均一な表示を確実に解消できる。そして、かかる表示装置の構成は、所定の機能を発揮するように第１（第２）ダミー走査電極の適切で且つ新規な配置形態とされたものである。
【００７９】
また、１本目（Ｎ本目）の走査電極に対向して設けられた１行目の画素電極の電極群の外側に隣接し且つ第１（第２）ダミー走査電極に対向して設けられた第１（第２）ダミー画素電極の電極群をさらに備えた構成とすれば、表示画素群全体の均一表示を確実なものとできる。
【００８０】
また、第１（第２）ダミー画素電極の電極群とそれに隣接した１行目（Ｎ行目）の画素電極の電極群との離間距離の方が、第１（第２）ダミー走査電極とそれに隣接した１本目（Ｎ本目）の走査電極との離間距離よりも短い構成とすれば、長尺で並行して配設される走査電極と第１（第２）ダミー走査電極との短絡を防止する可能性を高めることができ、表示装置の製造歩留まりを悪化させることがない。
【００８１】
また、第１（第２）ダミー画素電極の電極群とそれに隣接した１行目（Ｎ行目）の画素電極の電極群との離間距離が、画素電極の電極群相互間の離間距離に等しい構成とすれば、第１（第２）ダミー走査電極の作用を正確にし、表示画素全体の均一表示を確実なものとできる。
【００８２】
また、第１（第２）ダミー画素電極及び複数の画素電極のいずれも、平面形状の外形寸法が同一に形成されている構成とすれば、第１（第２）ダミー走査電極の作用を理想的なものとし表示画素群全体の均一表示を理想的で且つ最も確実なものとできる。
【００８３】
また、第１（第２）ダミー走査電極の外側に設けられた走査電極側第３（第４）ダミー電極をさらに備えた構成、及び／又は、第１（第２）ダミー画素電極の電極列の外側に設けられた画素電極側第３（第４）ダミー電極をさらに備えた構成とすれば、走査電極側第３（第４）ダミー電極及び／又は画素電極側第３（第４）ダミー電極を容量結合の形成以外の目的の自由度が高い用途に活用することができる。
【００８４】
また、画素電極側第３（第４）ダミー電極が第１（第２）ダミー画素電極の電極列に並設されたダミーの画素電極の電極列で構成されている構成とすれば、それを静電気による表示装置の不良防止のために利用することができる。
【００８５】
また、上記画素電極側第３（第４）ダミー電極の電極群が複数行配設されている構成とすれば、それらを静電気による表示装置の不良防止としてより有効に利用することができる。
【００８６】
また、画素電極側第３（第４）ダミー電極の電極群の配設ピッチが、画素電極の配設ピッチよりも短い構成とすれば、画素電極側第３（第４）ダミー電極の配設数を表示装置の外形を大きくすることなく増やすことができることから基板を大きくする必要がないので、マザー基板からの基板の採れ枚数が減らず製造コストが上がることがない。また、静電気による表示装置の不良発生を抑えるための画素電極側第３（第４）ダミー電極を多数個設けることができるので、表示装置の製造歩留まりが改善され、表示装置の製造コストを下げることができる。
【発明を実施するための最良の形態】
【００８７】
次に添付図面に基づいて本発明及び別の本発明に係る液晶表示装置の実施の形態について説明する。尚、説明文中、”〜本目の走査電極”等の表現を多用するが、特に断りのない限り図面上方向から順に数えたものとする。
【００８８】
（第１の実施の形態）
図１は、第１実施形態に係る液晶表示装置の液晶セル１００の平面図である。図１では、対向側基板１０を紙面手前に、及び素子側基板１を紙面奥にそれぞれ配置した状態を示している。図２は、液晶セル１００の拡大斜視図であり第１ダミー走査電極１１ａ近傍を示している。図３は、走査電極に印加される駆動波形を示したものである。
【００８９】
この液晶セル１００は、相互に対向するように設けられた素子側基板１及び対向側基板１０と、それらの両基板に狭持されるように設けられた液晶層（誘電性材料層）とからなる。
【００９０】
素子側基板１の液晶層側には、所定の間隔でマトリクス状に画素電極５が配設されている。各画素電極５は薄膜ダイオード４を介して信号配線２に接続され、また、信号配線２は素子側端子電極６に引き出されている。
【００９１】
対向側基板１０の液晶層側には、所定寸法の正規の走査電極１１が間隔をおいてＮ本設けられており、各走査電極１１は対向側端子電極１２に接続されている。Ｎの数値は予め定められた表示画素フォーマットに従うが、通常１２０、１６０、２４０、３２０、４８０、６００、７６８、１０２４、１２００等の偶数である。
【００９２】
このような素子側基板１と対向側基板１０とは、それぞれ配向処理が行われた後、シール材９を介してスペーサ（図示せず）を利用して所定の間隔を維持すると共に、信号配線２の延びる方向と走査電極１１の延びる方向とが直交し且つ画素電極５と走査電極１１とが向かい合うように貼り合わされており、走査電極１１が延びる方向に並んだ複数の画素電極５が電極群を構成している。両基板の間隙には液晶材料が封入されており、それが液晶層を構成しており、液晶層では液晶分子が所定の配向状態をとっている。そして、画素電極５と走査電極１１とそれらの間の液晶層とにより１つの表示画素が規定される。
【００９３】
対向側基板１０の液晶層側と反対側には、偏光板などの光学フィルム１５が貼り付けられている。また、対向側基板１０の液晶層側には、表示画素群領域の周囲に遮光膜１７が設けられている。
【００９４】
本実施形態では、対向側基板１０の液晶層側（遮光膜１７上）において、１本目の走査電極１１の外側の０本目の走査電極対応位置に第１ダミー走査電極１１ａ及びＮ本目の走査電極の外側のＮ＋１本目の走査電極対応位置に第２ダミー走査電極１１ｂが、それぞれ正規の走査電極１１と同一寸法、同一材料で設けられている。また、ダミー走査電極１１ａ，１１ｂと正規の走査電極１１との離間距離ｄは、正規の走査電極１１同士の離間距離ｂと同一とされている。
【００９５】
第１ダミー走査電極１１ａの液晶層を介して対向する素子側基板１の液晶層側には、１本目の走査電極１１に対向した１行目の画素電極５の電極群に隣接して各々が薄膜ダイオード４ａを有する第１ダミー画素電極５ａの電極群が設けられている。また、同様に、第２ダミー走査電極１１ｂの液晶層を介して対向する素子側基板１の液晶層側には、Ｎ本目の走査電極１１に対向したＮ行目の画素電極５の電極群に隣接して各々が薄膜ダイオード（図示せず）を有する第２ダミー画素電極５ｂの電極群が設けられている。また、第１ダミー走査電極１１ａに対応した第１ダミー画素電極５ａ及びこれが有する薄膜ダイオード４ａの寸法や材料は、正規の画素電極５及び薄膜ダイオード４と同一とされている。同様に、第２ダミー走査電極１１ｂに対応した第２ダミー画素電極５ｂ及びこれが有する薄膜ダイオード（図示せず）の寸法や材料も正規の画素電極５及び薄膜ダイオード４と同一とされている。さらに、正規の画素電極５とダミーの画素電極５ａとの離間距離ｃは、正規の画素電極５同士の離間距離ａと同一とされている。つまり、第１ダミー走査電極１１ａに対応した第１ダミー画素電極５ａが有する諸寸法は正規の画素電極５と同一であり、また、第２ダミー走査電極１１ｂに対応した第２ダミー画素電極５ｂに関しても同様であり、その諸寸法は正規の画素電極５と同一である。
【００９６】
すなわち、第１及び第２ダミー走査電極１１ａ，１１ｂ、第１及び第２ダミー画素電極５ａ，５ｂ並びにそれらが有する薄膜ダイオード４ａの形成は、従来の液晶セル１００の基板の製造に使用するフォトマスクの変更のみで容易に実現できる。尚、図２に示すように、第１ダミー画素電極５ａと正規の画素電極５の離間距離ｃは、第１ダミー走査電極１１ａと正規の走査電極１１の離間距離ｄよりも短いほうがよい。これは、対向側基板１０上の電極のパターニングに使用される露光装置は、プロキシミティー露光装置等の１０μｍ程度の解像度のものが多く、効率的に容量結合を生じる程度の離間距離で走査電極１１を加工するためには製造上の不都合を伴うからである。また、離間距離を短く加工できたとしても、走査電極１１は長距離を平行して配置されるので異物による短絡の恐れが増し、短絡した場合にその場所の特定が難しく、製造上修正が困難であることから好ましくない。一方、素子側基板１上の電極のパターニングに使用する露光装置は、ステッパー露光装置等の４μｍ程度の解像度を有する露光装置である場合が多く、充分に画素電極５の離間距離を短く加工でき好都合である。また、異物で画素電極５同士が短絡しても短絡場所の特定が容易であるので修正が行いやすく特に製造上不都合を伴うことがない。
【００９７】
ここで、本実施形態に係る液晶セル１００の構造の特徴は、第１ダミー走査電極１１ａが２本目の正規の走査電極１１に接続されていると共に、第２ダミー走査電極１１ｂがＮ−１本目の正規の走査電極１１に接続されていることである。
【００９８】
このような接続をする理由を以下に説明する。
【００９９】
図３は、正規の走査電極１１の各々に印加する走査信号Ｓn（ｎ＝１〜８、本図は正規の走査電極の数Ｎ＝８の場合である）を示している。
【０１００】
本図は従来から行われている典型的なフレーム反転及びライン反転を有する走査信号を示している。すなわち、着目したある走査信号Ｓnは、１フレームにＶSの大きさの電圧が印加される選択期間と、０Ｖの電圧が印加される非選択期間とを有し、選択期間の電圧の極性がフレーム毎に切り替えられており、また、ある走査信号Ｓnと隣接した走査信号Ｓn-1あるいはＳn+1とは、選択期間のタイミングが１選択期間づつずらされていると共に、選択期間の電圧の極性が互いに逆になるようにされている。
【０１０１】
さて、発明者が実験から得た知見（２）および知見（３）によれば、１本目及びＮ本目の正規の走査電極１１が構成する表示画素に表示濃度の異常が生じないようにするためには、隣接した走査電極１１との間の容量結合による作用を他の正規の走査電極（すなわち２本目からＮ−１本目までの走査電極）１１が構成する表示画素の場合に生じる容量結合による作用と等しくすればよい。
【０１０２】
正常な濃度を示す表示画素を構成する正規の走査電極１１に印加される走査信号Ｓn（ｎ＝２〜Ｎ−１）と、これに隣接した２つの走査電極１１に印加される走査信号Ｓn-1とＳn+1を比較すると、走査信号Ｓnが選択状態にある時は、Ｓn-1およびＳn+1は必ず０であることが判る。これはいわゆる時分割駆動の特徴である。
【０１０３】
すなわち、選択状態時の走査電極１１は、非選択状態にある隣接した２つの走査電極１１との間で液晶層の容量を介して容量結合を２箇所で生じているのである。
【０１０４】
よって、第１ダミー走査電極１１ａに印加すべき走査信号Ｓ0は、１本目の正規の走査電極１１に走査信号Ｓ1が印加されて選択状態になった時に最低限０Ｖの電圧を有すればよい。図３では、走査信号Ｓ0が満たすべき電圧を太線で示し、他の部分を細線で示している。また、第２ダミー走査電極１１ｂに印加すべき走査信号Ｓ8+1に関しても同様であり、図３では、０Ｖの電圧であるべき部分を太線で示し、他の部分を細線で示している。尚、図３では、０Ｖを中心とした振幅ＶSを有する走査信号を用いて説明したが、上記の説明から明らかなように、振幅の中心電圧が０Ｖでない場合でも同じように説明できる。すなわち、第１ダミー走査電極１１ａに印加すべき走査信号Ｓ0は、１本目の正規の走査電極１１に走査信号Ｓ1が印加されて選択状態になった時に非選択状態時の電圧を最低限有すればよい。また、第２ダミー走査電極１１ｂに印加すべき走査信号Ｓ8+1は、８本目の正規の走査電極１１に走査信号Ｓ8が印加されて選択状態になった時に非選択状態時の電圧を最低限有すればよい。
【０１０５】
以上のように第１ダミー走査電極１１ａに印加すべき走査信号Ｓ0及び第２ダミー走査電極１１ｂに印加すべき走査信号Ｓ8+1が満たすべき条件が判った。
【０１０６】
ここで、走査信号Ｓ0が部分的に非選択状態（図３では０Ｖ）の電圧を有する必要があることと、他の走査信号Ｓnに非選択状態時（図３では０Ｖ）の電圧を含む部分が存在することとの両方に着目する。すると、Ｓ2〜Ｓ8までのいずれの走査信号ＳnもＳ0として利用できることが判る。なぜならば、Ｓ2〜Ｓ8の走査信号はいずれも走査信号Ｓ1が選択状態にある時に非選択状態（０Ｖ）であるからである。これらのことより、第１ダミー走査電極１１ａは、２本目から８本目までのいずれか１つの正規の走査電極に接続させることができる。また、第２ダミー走査電極１１ｂに関しても同様の理由から、１本目から７本目までのいずれか１つの正規の走査電極に接続させることができる。
【０１０７】
ここで、第１ダミー走査電極１１ａの接続先となる正規の走査電極１１と、第２ダミー走査電極１１ｂの接続先となる正規の走査電極１１とは上記条件を満たす限り自由に選ぶことができる。極端な例では第１ダミー走査電極１１ａの接続先となる正規の走査電極１１と、第２ダミー走査電極１１ｂの接続先となる正規の走査電極１１を一致させることもできる。しかし、実施にあたっては断線等の不具合に配慮して接続距離が短くなるようにすることが好ましい。例えば、第１ダミー走査電極１１ａは正規の走査電極１１群の前半（２本目から４本目まで）の１つに、第２ダミー走査電極１１ｂは正規の走査電極１１群の後半（５本目から７本目まで）の１つに接続させるとよい。
【０１０８】
図３では、Ｎ＝８の場合で説明したが、任意の本数の正規の走査電極１１を有する液晶セル１００全てに関して上記の接続条件を適用することができる。すなわち、第１ダミー走査電極１１ａを１本目以外の正規の走査電極１１のいずれか１つに接続させ、また、第２ダミー走査電極１１ｂをＮ本目以外の正規の走査電極１１のいずれか１つに接続させるようにすればよい。
【０１０９】
従って、本実施形態によれば、対向側基板１０に第１及び第２ダミー走査電極１１ａ，１１ｂのための新たな対向側端子電極を設ける必要がなく、第１及び第２ダミー走査電極１１ａ，１１ｂにそれぞれ印加される走査信号を用意することができる。この結果として、１本目からＮ本目までの正規の走査電極１１が構成する表示画素のいずれも均一な表示濃度を示す表示装置を得ることができる。
【０１１０】
また、対向側基板１０に設けられる駆動ＩＣチップが複数必要であっても、１種類のＩＣチップを用いるだけでよいので、部品の共通化によるコスト削減や組み立て時の部品間違い等が無く作業効率が良好なものとなる。
【０１１１】
また、第１ダミー走査電極１１ａは液晶層を介して第１ダミー画素電極５ａを、及び第２ダミー走査電極１１ｂは液晶層を介して第２ダミー画素電極５ｂをそれぞれ有しているので、表示装置を駆動する際になんらかの表示を行ってしまい、この表示は美観上不快であるが、本実施形態ではそれらが遮光膜１７で覆われており、表示装置の使用者が直接視認できないようになっている。遮光膜１７は、対向側基板１０内側でなく、素子側基板１側に設けたり、あるいは表示装置の外側表面に設けてもよい。このような遮光膜１７は、従来の表示装置、特にカラー表示をおこなう表示装置で設けられていることが多く、当業者にとって遮光膜１７を設けることの不都合は実質的に無い。
【０１１２】
また、隣接したものとの離間距離の短い第１及び第２ダミー画素電極５ａ，５ｂが設けられているので、知見（４）によれば、その存在が容量結合を生ぜしめるために非常に有効となる。
【０１１３】
また、第１及び第２ダミー画素電極５ａと正規の画素電極５との離間距離ｃは、正規の画素電極５同士の離間距離ａと同一としているので、第１及び第２ダミー画素電極５ａと正規の画素電極５との間に生じる結合容量が、正規の画素電極５同士の電極の間に生じる容量結合と等しくなり、さらに、第１及び第２ダミー画素電極５ａに対応した液晶層の容量も正規の画素電極５に対応した液晶層の容量と同一となるので、１つの表示画素の等価回路が有する定数を正規の画素電極５と第１及び第２ダミー画素電極５ａとで等しくなり、表示画素の周囲に等しく容量結合を理想的に生じさせることができる。
【０１１４】
ここで、ダミーの画素電極５ａは容量結合形成に係るものであり、平面形状の外寸法が正規の画素電極５と同一であればよく、その材料は必ずしも正規の画素電極５と同一である必要はない。例えば、図４に示すように、第１ダミー画素電極５ａを正規の画素電極５の材料と同一材料（例えばＩＴ０）で形成し、遮光のためにさらにほぼ同一寸法で上部電極材料（例えばＴｉ）を利用して遮光部３ａを設けてもよい。この遮光部３ａは、第１ダミー画素電極５ａの部分の表示が使用者から見えないように覆い隠す目的で形成するものである。
【０１１５】
また、第１及び第２ダミー画素電極５ａ，５ｂに記号を設けてもよい。第１及び第２ダミー画素電極５ａ，５ｂと正規の画素電極５の区別は難しいので、素子側基板１の製造工程中の検査時に不良の第１及び第２ダミー画素電極５ａ，５ｂを誤って正規の画素電極５が不良であると判断し、この液晶セル１００が不良であると誤判断される恐れもある。そこで、第１及び第２ダミー画素電極５ａ，５ｂの領域中に例えば”Ｄ”等と明瞭に第１及び第２ダミー画素電極５ａ，５ｂであることを示す記号を電極をごく一部を切り欠いた形状で設けたり、他の材料でパターニングすることにより、かかる誤判断が回避される。
【０１１６】
また、容量結合は電極の端近傍で生じる成分が主であるので、ダミー画素電極の中央に一部欠損があったり、凹凸があったりしても機能上の問題は無く、第１及び第２ダミー画素電極５ａをかかる構成のものとしてもよい。
【０１１７】
（第２の実施の形態）
図５は、第２実施形態に係る液晶表示装置の液晶セル１００の平面図である。図５では、対向側基板１０を紙面手前に、及び素子側基板１を紙面奥にそれぞれ配置した状態を示している。図６は、走査電極１１に印加される駆動波形を示したものである。
【０１１８】
この液晶セル１００は、第１実施形態で示した構造とほぼ同一であり、同じ形状で同一符号の部品の説明は省略する。
【０１１９】
本実施形態に係る液晶セル１００の構造の特徴は、第１ダミー走査電極１１ａが３本目の正規の走査電極に接続され、また第２ダミー走査電極１１ｂがＮ−２本目の正規の走査電極に接続されていることである。つまり第１及び第２ダミー走査電極１１ａ，１１ｂの接続先が第１実施形態とは異なる。
【０１２０】
本実施形態の液晶表示装置は、図６に示すように、その走査信号Ｓnが非選択期間に＋ＶH（−ＶH）の電圧を保持しており、フレーム反転及びライン反転を行っている。このような場合、第１及び第２ダミー走査電極１１ａ，１１ｂに印加すべき電圧条件が第１実施形態とは異なることに注意しなければならない。
【０１２１】
第１及び第２ダミー走査電極１１ａ，１１ｂの接続先が第１実施形態と異なる理由を、それらに印加すべき電圧条件と関連させて以下に説明する。
【０１２２】
図６は、正規の走査電極１１の各々に印加する走査信号Ｓn（ｎ＝１〜８、本図は正規の走査電極の数Ｎ＝８の場合である）を示している。
【０１２３】
本図は従来から行われている典型的なフレーム反転及びライン反転を有する走査信号Ｓnを示している。すなわち着目したある走査信号Ｓnは、１フレームにＶSの大きさの電圧が印加される選択期間と、ＶH又は−ＶHの電圧が保持される非選択期間とを有し、電圧の極性がフレーム毎に切り替えられており、また、ある走査信号Ｓnと隣接した走査信号Ｓn-1あるいはＳn+1とは、選択期間のタイミングが１選択期間づつずらされていると共に、電圧の極性が互いに逆になるようにされている。
【０１２４】
さて、発明者が実験から得た知見（２）および（３）によれば、１本目（Ｎ本目）の正規の走査電極１１が構成する表示画素に表示濃度の異常が生じないようにするためには、隣接した走査電極１１との間の作用を、他の正規の走査電極（すなわち、２本目からＮ−１本目までの走査電極）１１が構成する表示画素の場合に生じる作用と等しくすればよい。
【０１２５】
正常な濃度を示す表示画素を構成する正規の走査電極１１に印加される走査信号Ｓn（ｎ＝２〜Ｎ−１）と、これに隣接した２つの走査電極１１，１１に印加される走査信号Ｓn-1とＳn+1を比較すると、走査信号Ｓnが選択状態にある時は、Ｓn-1およびＳn+1に印加されている電圧の組み合わせは、＋ＶHと−ＶHとの組み合わせ、又は−ＶHと＋ＶHとの組み合わせになる。
【０１２６】
すなわち、選択状態にある走査電極１１は、非選択状態にある隣接した２つの走査電極１１，１１との間で液晶層の容量を介して容量結合が２箇所で生じていることは第１実施形態と同じであるが、その２つの容量結合は同じではない。
【０１２７】
よって、第１ダミー走査電極１１ａに印加すべき走査信号Ｓ0は、１本目の正規の走査電極１１に印加される走査信号Ｓ1が選択状態になった時に、２本目の正規の走査電極１１に印加されている電圧によって切り替える必要がある。具体的には、走査信号Ｓ0は、２本目の正規の走査電極に印加されている電圧が＋ＶHの時には−ＶHを、２本目の正規の走査電極に印加されている電圧が−ＶHの時には＋ＶHを有する必要がある。図６では、走査信号Ｓ0が満たすべき電圧を太線で示し、他の部分を細線で示している。また、第２ダミー走査電極１１ｂに印加すべき走査信号Ｓ8+1に関しても同様であり、図６に満たすべき電圧の部分を太線で示し、他の部分を細線で示している。尚、図６では０Ｖを中心とした振幅ＶSを有する走査信号を用いて説明したが、上記の説明から明らかなように、振幅の中心電圧が０Ｖでない場合でも同じように説明できる。すなわち、第１ダミー走査電極１１ａに印加すべき走査信号Ｓ0は、１本目の正規の走査電極１１に印加される走査信号Ｓ1が選択状態になった時に、２本目の正規の走査電極１１に印加される走査信号Ｓ2が有する電圧とは反対の＋ＶHか−ＶHのどちらかを有する必要がある。また、第２ダミー走査電極１１ｂに印加すべき走査信号Ｓ8+1は、８本目の正規の走査電極に印加される走査信号Ｓ8が選択状態になった時に、７本目の正規の走査電極に印加される走査信号Ｓ7が有する電圧とは反対の＋ＶHか−ＶHのどちらかを有する必要がある。以上のように、第１ダミー走査電極１１ａに印加すべき走査信号Ｓ0と第２ダミー走査電極１１ｂに印加すべき走査信号Ｓ8+1が満たすべき条件が判った。
【０１２８】
ここで、走査信号Ｓ0が部分的に非選択（図６では＋ＶHか−ＶH）の電圧を有する必要があることと、他の走査信号Ｓnに非選択（図６では＋ＶHか−ＶH）の電圧を含む部分が存在することの両方に着目する。すると、Ｓ3、Ｓ5，Ｓ7のいずれの走査信号ＳnもＳ0として利用できることが判る。なぜならば、Ｓ3、Ｓ5、Ｓ7の走査信号はいずれも走査信号Ｓ1が選択状態にある時に、走査信号Ｓ2とは反対の＋ＶHか−ＶHの電圧を有するからである。よって、第１ダミー走査電極１１ａは、３本目、５本目、７本目のいずれか１つの正規の走査電極に接続させることができる。また、第２ダミー走査電極１１ｂに関しても同様の理由から、２本目、４本目、６本目のいずれか１つの正規の走査電極に接続させることができる。
【０１２９】
ここで、第１ダミー走査電極１１ａの接続先となる正規の走査電極１１と、第２ダミー走査電極１１ｂの接続先となる正規の走査電極１１とは上記条件を満たす限り自由に選べる。例えば断線等の不具合に配慮して選択すればよい。
【０１３０】
図６では、Ｎ＝８の場合で説明したが、任意の本数の正規の走査電極１１を有する液晶セル１００全てに関して上記の接続条件を適用することができる。すなわち、第１ダミー走査電極１１ａを１本目以外の奇数番目の正規の走査電極１１のいずれか１つに接続させると共に、第２ダミー走査電極１１ｂをＮ本目以外の偶数番目の正規の走査電極１１のいずれか１つに接続させればよい。
【０１３１】
尚、本実施形態では、１ライン毎に極性が切り替わる走査信号Ｓnでの場合を示したが、Ｎライン毎に極性が反転する場合でも適用できる。さらに広く適用させるためには以下に留意すれば良い。即ち、着目した正規の走査電極１１に印加されている走査信号Ｓnが選択状態にある時に、隣の走査電極１１に印加されている走査信号Ｓn-1およびＳn+1が示している電圧の組み合わせがどの正規の走査電極１１においても等しくなるように、第１ダミー走査電極１１ａの接続先となる正規の走査電極１１と、第２ダミー走査電極１１ｂの接続先となる正規の走査電極１１を選択すればよいのである。
【０１３２】
また、本実施形態における第１及び第２ダミー走査電極１１ａ，１１ｂと正規の走査電極１１との接続形態は、非選択期間に＋ＶH又は−ＶHの電圧が保持されない、すなわち、第１実施形態における駆動波形でも適用できることは言うまでもない。何故ならば、第１実施形態の駆動波形は本実施形態において＋ＶH＝−ＶH（＝０）の場合に相当するからである。
【０１３３】
その他の作用効果は第１実施形態と同一である。
【０１３４】
（第３の実施の形態）
図７は、第１実施形態に係る液晶表示装置の液晶セル１００の変形例の平面図である。図７では、対向側基板１０を紙面手前に、及び素子側基板１を紙面奥にそれぞれ配置した状態を示している。
【０１３５】
先に示した第１及び第２実施形態では、正規の走査電極１１に印加される駆動波形によって第１ダミー走査電極１１ａの接続先及び第２ダミー走査電極１１ｂの接続先を適切に選択している。
【０１３６】
これらの接続形態は基本的な走査電極１１のパターンを僅かに手直しして出来るものであるが、より柔軟性のある接続形態の提示も求められる。例えば、図７に示すように長距離にわたる第１及び第２ダミー走査電極１１ａ，１１ｂと正規の走査電極１１との接続が必要になった場合、断線や配線抵抗の増大による電圧降下の問題が生じ第１及び第２ダミー走査電極１１ａ，１１ｂが期待する動作をしないことが予想される。
【０１３７】
図７に示す液晶セル１００は、端子の数（電極の数）が異なる点と遮光膜が形成されていない点が第１実施形態と異なるが、基本構成は第１実施形態の液晶セル１００と同一構成である。また、第１ダミー走査電極１１ａはＮ本目（Ｎ＝８）の正規の走査電極１１に接続され、第２ダミー走査電極１１ｂは第１ダミー走査電極１１ａの外側を回って１本目の正規の走査電極１１に接続されている点が異なる。これは、第１実施形態で示される接続形態のうち考えられる最も長距離の接続の事例である。
【０１３８】
このような接続は、例えば、走査電極１１を構成する導電性薄膜がＡｌ等の充分比抵抗が小さい材料であれば問題は無い。しかしながら、走査電極１１の材料が必ずしもＡｌであるとは限らず、抵抗の低い接続を実現するためには対向側基板１０の製造工程を増やし、新たに低抵抗薄膜の成膜、フォトレジストの塗布、露光、現像、エッチング及びレジストの剥離といったことが必要となり、製造上甚だ不都合である。
【０１３９】
そこで、第１及び第２ダミー走査電極１１ａ，１１ｂと正規の走査電極１１，１１との接続が寸法精度を必要としない点に発明者は着目した。
【０１４０】
すなわち、接続を構成する配線を対向側基板１０上に存在する導電材料ではなく、素子側基板１上に存在する導電材料で構成するということに想到した。
【０１４１】
図８は、このような新規の接続が施された実施形態３に係る液晶表示装置の液晶セル１００を示す平面図である。図８では、液晶セル１００の対向側基板１０を紙面手前に、及び素子側基板１を紙面奥にそれぞれ配置した状態を示している。
【０１４２】
この液晶セル１００は、相互に対向するように設けられた素子側基板１及び対向側基板１０と、それらの両基板に狭持されるように設けられた液晶層（誘電性材料層）とからなる。
【０１４３】
素子側基板１の液晶層側には、所定の間隔でマトリクス状に画素電極５が配設されている。各画素電極５は薄膜ダイオード（図示せず）を介して信号配線２に接続され、また、信号配線２は素子側端子電極６に引き出されている。
【０１４４】
対向側基板１０の液晶層側には、所定寸法の正規の走査電極１１が間隔をおいてＮ本設けられており、各走査電極１１は対向側端子電極１２に接続されている。
【０１４５】
このような素子側基板１と対向側基板１０とは、それぞれ配向処理が行われた後、シール材９を介してスペーサ（図示せず）を利用して所定の間隔を維持すると共に、信号配線２の延びる方向と走査電極１１の延びる方向とが直交し且つ画素電極５と走査電極１１とが向かい合うように貼り合わされており、走査電極１１が延びる方向に並んだ複数の画素電極５が電極群を構成している。両基板の間隙には液晶材料が封入されており、それが液晶層を構成しており、液晶層では液晶分子が所定の配向状態をとっている。そして、画素電極５と走査電極１１とそれらの間の液晶層とにより１つの表示画素が規定される。
【０１４６】
また、対向側基板１０の液晶層側には、１本目の走査電極１１の外側の０本目対応位置に第１ダミー走査電極１１ａ、及びＮ本目の走査電極１１の外側のＮ＋１本目対応位置に第２ダミー走査電極１１ｂがそれぞれ設けられている。
【０１４７】
さらに、素子側基板１の液晶層側には、液晶層を介して第１ダミー走査電極１１ａに対向し且つそれに沿って並んだ第１ダミー画素電極５ａの電極群が設けられている。また、各第１ダミー画素電極５ａは薄膜ダイオード（図示せず）を介して信号配線２に接続されている。同様に、素子側基板１の液晶層側には、液晶層を介して第２ダミー走査電極１１ｂに対向し且つそれに沿って並んだ第２ダミー画素電極５ｂの電極群が設けられている。また、各第２ダミー画素電極５ｂもまた薄膜ダイオード（図示せず）を介して信号配線２に接続されている。これらの第１及び第２ダミー画素電極５ａ，５ｂは正規の画素電極５と同一の構成と寸法を有する。
【０１４８】
対向側基板１０の液晶層側とは反対側には、偏光板などの光学フィルム１５（図示せず）が貼り付けられている。
【０１４９】
本実施形態に係る液晶セル１００においては、第１ダミー走査電極１１ａはＮ本目の正規の走査電極１１に接続されているが、この接続は以下の（Ａ１）から（Ａ７）までの要素を介して実現されている。
（Ａ１）第１ダミー走査電極１１ａ
（Ａ２）第１ダミー走査電極１１ａから延びてシール材９の外側隅部に引き出された取り出し電極２０ａ
（Ａ３）対向側基板１０の取り出し電極２０ａに接触するように設けられた導電材１９ａ
（Ａ４）一端が導電材１９ａに接触し走査電極の延びる方向と直交した方向に延びるように素子側基板１に設けられた電極１８ａ
（Ａ５）素子側基板１の電極１８ａの他端に接触するように設けられた導電材１９ｂ
（Ａ６）Ｎ本目の正規の走査電極１１から導電材１９ｂに接触するように延びてシール材９の外側隅部に引き出された取り出し電極２０ｂ
（Ａ７）Ｎ本目の正規の走査電極１１。
【０１５０】
また、第２ダミー走査電極１１ｂは１本目の正規の走査電極１１に接続されているが、この接続は以下の（Ｂ１）から（Ｂ７）までの要素を介して実現されている。
（Ｂ１）第２ダミー走査電極１１ｂ
（Ｂ２）第２ダミー走査電極１１ｂから延びてシール材９の外側隅部に引き出された取り出し電極２０ｃ
（Ｂ３）対向側基板１０の取り出し電極２０ｃに接触するように設けられた導電材１９ｃ
（Ｂ４）一端が導電材１９ｃに接触し走査電極の延びる方向と直交した方向に延びるように素子側基板１に設けられた電極１８ｂ
（Ｂ５）素子側基板１の電極１８ｂの他端に接触するように設けられた導電材１９ｄ
（Ｂ６）１本目の正規の走査電極１１から導電材１９ｄに接触するように延びてシール材９の外側隅部に引き出された取り出し電極２０ｄ
（Ａ７）１本目の正規の走査電極１１。
【０１５１】
上記の導電材１９ａ〜１９ｄとは、例えば、カーボンペーストや表面に導電性材料をコーティングした粒子を使用することができる。
【０１５２】
電極１８ａ及び１８ｂは、素子側基板１内側の画素電極５や薄膜ダイオード（図示せず）や信号配線２を構成する電極材料の少なくとも１つを利用して形成させることができる。この電極材料としては、例えばＴａ、Ｔｉ、Ｃｒを使用することができ、これらの単層膜や積層膜を使用することができる。
【０１５３】
従って、本実施形態によれば、第１ダミー走査電極１１ａと正規の走査電極１１との接続を低抵抗にできると共に、第２ダミー走査電極１１ｂと正規の走査電極１１との接続をも低抵抗にすることができる。何故ならば、第１及び第２ダミー走査電極１１ａ，１１ｂと正規の走査電極１１，１１との接続を構成する経路の大部分が素子側基板１上の電極１８ａ，１８ｂで構成されているからである。
【０１５４】
上記の対向側基板１０の取り出し電極２０ａ〜２０ｄと素子側基板１上の電極１８ａ，１８ｂは、従来の製造方法に使用するフォトマスクの変更で形成可能である。尚、対向側基板１０の取り出し電極２０ａ〜２０ｄと素子側基板１の電極１８ａ，１８ｂとの接続はシール材９の形状変更と導電材１９ａ〜１９ｄの塗布が必要であるが、実質的に導電材１９ａ〜１９ｄの塗布のみを製造工程に追加するだけであり、当業者にとって困難なものではない。
【０１５５】
また、シール材９の形状変更をしない代わりに、シール材９中に導電性粒子を含有させ対向側基板１０の取り出し電極２０ａ〜２０ｄと素子側基板１の電極１８ａ，１８ｂとの接続をシール材９を介してするようにしてもよい。
【０１５６】
以上、本実施形態では、第１及び第２ダミー走査電極１１ａ，１１ｂと正規の走査電極１１，１１との接続が長距離であっても低抵抗で実現できる方法を提示した。本実施形態の構成は、液晶セル１００の外形が大きい場合や、第１及び第２ダミー走査電極１１ａ，１１ｂと正規の走査電極１１の接続が高抵抗材料であったり接続幅が狭くなるような場合であっても不都合がないものとすることができる。すなわち、電極パターンの設計をより自由度が増したものとすることができるという効果をも奏する。
【０１５７】
その他の作用効果は実施形態１と同一である。
【０１５８】
（第４の実施の形態）
図９は、第４実施形態に係る液晶表示装置の液晶セル１００の平面図である。図９では、対向側基板１０を紙面手前に、及び素子側基板１を紙面奥にそれぞれ配置した状態を示している。
【０１５９】
第１〜３実施形態では、素子側端子電極６と対向側端子電極１２とが個別の辺に取り出される形態を示したが、電極構造はこの形態に限って適用できるものではなく、例えば、図９に図示するように素子側端子電極６と対向側端子電極１２とが液晶セル１００の周囲の１辺（図では下側の辺）に設けられている形態でも適用できる。
【０１６０】
この液晶セル１００は、相互に対向するように設けられた素子側基板１及び対向側基板１０と、それらの両基板に狭持されるように設けられた液晶層（誘電性材料層）とからなる。
【０１６１】
素子側基板１の液晶層側には、所定の間隔でマトリクス状に画素電極５が配設されている。各画素電極５は薄膜ダイオード（図示せず）を介して信号配線２に接続され、また、各信号配線２は紙面下の液晶セル１００の１辺のシール材９まで延びて素子側端子電極６に接続されている。
【０１６２】
対向側基板１０の液晶層側には、正規の走査電極１１と第１及び第２ダミー走査電極１１ａ、１１ｂとが所定の寸法と間隔で形成されている。正規の走査電極１１は、半数が紙面左右に延び且つ左端で９０°延びる方向を変えて紙面下の液晶セル１００の１辺のシール材９まで延びている。また、それらは、各々、シール材９に含有された導電性粒子を介して素子側基板１に設けられた対向側端子電極１２に接続されている。他方、残りの半分の正規の走査電極１１は、紙面左右方向に延び且つ右端で９０°延びる方向を変えて紙面下の液晶セル１００の１辺のシール材９まで延びている。また、それらは、各々、シール材９に含有された導電性粒子を介して素子側基板１に設けられた対向側端子電極１２に接続されている。第１ダミー走査電極１１ａは正規の走査電極１１群のほぼ中央に位置する所定の１つの正規の走査電極１１に接続されている。また、第２ダミー走査電極１１ｂは正規の走査電極１１群のほぼ中央に位置する所定の１つの正規の走査電極１１に接続されている。
【０１６３】
このような素子側基板１と対向側基板１０とは、それぞれ配向処理が行われた後、シール材９を介してスペーサ（図示です）を利用して所定の間隔を維持すると共に、信号配線２の延びる方向と走査電極１１の延びる方向とが直交し且つ画素電極５と走査電極１１とが向かい合うように貼り合わされており、走査電極１１が延びる方向に並んだ複数の画素電極５が電極群を構成している。両基板の間隙には液晶材料が封入されており、それが液晶層を構成しており、液晶層では液晶分子が所定の配向状態をとっている。そして、画素電極５と走査電極１１とそれらの間の液晶層とにより１つの表示画素が規定される。
【０１６４】
また、対向側基板１０の液晶層側には、１本目の走査電極１１の外側の０本目対応位置に第１ダミー走査電極１１ａ、及びＮ本目の走査電極１１の外側のＮ＋１本目対応位置に第２ダミー走査電極１１ｂがそれぞれ設けられている。さらに、素子側基板１の液晶層側には、液晶層を介して第１ダミー走査電極１１ａに対向し且つそれに沿って並んだ第１ダミー画素電極（図示せず）の電極群が設けられている。また、各第１ダミー走査電極は薄膜ダイオード（図示せず）を介して信号配線２に接続されている。同様に、素子側基板１の液晶層側には、液晶層を介して第２ダミー走査電極１１ｂに対向し且つそれに沿って並んだ第２ダミー画素電極５ｂの電極群が設けられている。また、各第２ダミー画素電極５ｂもまた薄膜ダイオード（図示せず）を介して信号配線２に接続されている。これらの第１及び第２ダミー画素電極５ｂは正規の画素電極５と同一の構成と寸法を有する。
【０１６５】
対向側基板１０の液晶層側とは反対側には、偏光板などの光学フィルム１５が貼り付けられている。
【０１６６】
このような電極形態を有する液晶表示装置は、例えば携帯電話に適用されることが多く、表示装置の横寸法を小さくできるという利点がある。一方、走査電極１１から端子までの引き回しが密集し易く、ダミー電極（ダミー走査電極、ダミー画素電極）等の他の目的の電極配線を追加できるようなスペースはほとんど残されていない。また、液晶セル１００の１辺に対向側端子電極１２と素子側端子電極６とを密に配置する必要もあり、ダミー電極用等の他の目的の端子電極を設けるには困難を伴い設計上の自由度はあまり無いデメリットも有する。
【０１６７】
しかしながら、本実施形態によれば、引き回しや液晶セル１００の外側に取り出される素子側端子電極６や対向側端子電極１２の配置の形態に左右されずに、第１及び第２ダミー走査電極１１ａ，１１ｂが設けられている。なぜならば、第１ダミー走査電極１１ａの接続先となる正規の走査電極１１と、第２ダミー走査電極１１ｂの接続先となる正規の走査電極１１が、第１実施形態、第２実施形態のところで説明した通りに比較的自由に選択できるからである。例えば従来の構成として示した図１９や図２０のものに倣ったダミー走査電極の配置ではかかる形態の液晶セル１００に対応することができないことを考慮すれば、本実施形態の利点が明瞭に理解できる。
【０１６８】
また、本実施形態の第１及び第２ダミー走査電極１１ａ，１１ｂはダミーの対向側端子電極を必要としないことが特徴であり、図９に図示するような液晶セル１００の１辺に精細なピッチで配置される端子電極があったとしてもそのレイアウトになんら制限を与えることがないという効果をも有する。つまりは液晶セル１００の電極設計に影響を与えずに第１及び第２ダミー走査電極１１ａ，１１ｂが設けられているのである。
【０１６９】
その他の作用効果は第１実施形態と同一である。
【０１７０】
（第５の実施の形態）
図１０は、第５実施形態に係る液晶表示装置の液晶セル１００の平面図である。図１０では、対向側基板１０を紙面手前に、及び素子側基板１を紙面奥にそれぞれ配置した状態を示している。図１１は、第１ダミー画素電極５ａが配置された近傍の斜視図である。本実施形態は、発明者が実験で得た知見（１）に基づいたものである。
【０１７１】
知見（１）とは、容量結合の形成を目的とたダミー電極（ダミー走査電極、ダミー画素電極）は表示画素群が構成する領域の１辺あたり１本あるいは１行で充分であるということである。これは即ち表示画素群領域の周囲であって容量結合の形成を目的としたダミー電極が存在しない領域に他の構成のダミー電極を自由な構成で自由な位置に配置することができることを意味している。
【０１７２】
一般的には、ダミー走査電極やダミー画素電極に代表されるダミー電極は様々な目的で配置されるが、表示画素を構成する電極と同一材料、同一寸法（間隔）で複数個配置されることが多い。特に製造工程中の静電気による不良を防ぐためには素子付きのダミー画素電極を表示画素群領域の周囲に多数個形成すると非常に効果的である。しかしながら、不用意に多数個のダミー画素電極を表示画素と同一寸法で配置すると液晶セル１００の外形が大きくなる。これはマザー基板から複数個の液晶セル１００を同時に形成することが多い液晶セル１００の製造においては、マザー基板１枚あたりの液晶セル１００の取り数が減少し、製造コストの上昇に直結することから極めて不都合である。
【０１７３】
これに対して、液晶セル１００の外形を大きくせずに多数のダミー画素電極を配置させるために、ダミー画素電極の平面形状の外寸法を正規の画素電極よりも小さくすることが考えられる。しかしながら、ダミー画素電極が有する回路定数が正規の画素電極と異なってしまうので、このような小さいダミー画素電極が正規の画素電極に隣接すると容量結合が不均一になり、結果として表示画素群領域の外周位置の表示画素の表示濃度が不均一になるという問題を解消できなくなる。
【０１７４】
そこで、本発明者は、表示画素群領域の周囲に配置するダミー電極を少なくとも２種類に分け、一方を表示画素に隣接し少なくとも表示画素を構成する電極と平面形状の外寸法が同一であるダミー電極とし、他方を表示画素を構成する電極と平面形状の外寸法が異なる他のダミー電極を配置することに想到するに至った。すなわち、表示画素群領域の周囲にまず容量結合の形成を目的としたダミー電極を配置し、さらに、その外側に他の目的を有するダミー電極を設けるのである。
【０１７５】
この液晶セル１００は、相互に対向するように設けられた素子側基板１及び対向側基板１０と、それらの両基板に狭持されるように設けられた液晶層（誘電性材料層）とからなる。
【０１７６】
素子側基板１の液晶層側には、所定の間隔でマトリクス状に画素電極５が配設されている。各画素電極５は薄膜ダイオード４を介して信号配線２に接続され、また、信号配線２は素子側端子電極６に引き出されている。
【０１７７】
対向側基板１０の液晶層側には、所定寸法の正規の走査電極１１が間隔をおいてＮ本設けられており、各走査電極１１は対向側端子電極１２に接続されている。
【０１７８】
このような素子側基板１と対向側基板１０とは、それぞれ配向処理が行われた後、シール材９を介してスペーサ（図示せず）を利用して所定の間隔を維持すると共に、信号配線２の延びる方向と走査電極１１の延びる方向とが直交し且つ画素電極５と走査電極１１とが向かい合うように貼り合わされており、走査電極１１が延びる方向に並んだ複数の画素電極５が電極群を構成している。両基板の間隙には液晶材料が封入されており、それが液晶層を構成しており、液晶層では液晶分子が所定の配向状態をとっている。そして、画素電極５と走査電極１１とそれらの間の液晶層とにより１つの表示画素が規定される。
【０１７９】
また、対向側基板１０の液晶層側には、１本目の走査電極１１の外側の０本目の走査電極対応位置に第１ダミー走査電極１１ａ及びＮ本目の走査電極の外側のＮ＋１本目の走査電極対応位置に第２ダミー走査電極１１ｂが、それぞれ正規の走査電極１１と同一寸法、同一材料で設けられている。本実施形態では、第１ダミー走査電極１１ａが２本目の正規の走査電極１１に接続され、第２走査電極１１ｂがＮ−１本目の正規の走査電極１１に接続されている。
【０１８０】
素子側基板１の液晶層側には、液晶層を介して第１ダミー走査電極１１ａに対向し且つそれに沿って並んだ第１ダミー画素電極５ａの電極群が設けられている。また、各第１ダミー画素電極５ａは薄膜ダイオード４ａを介して信号配線２に接続されている。同様に、素子側基板１の液晶層側には、液晶層を介して第２ダミー走査電極１１ｂに対向し且つそれに沿って並んだ第２ダミー画素電極５ｂの電極群が設けられている。また、各第２ダミー画素電極５ｂもまた薄膜ダイオード（図示せず）を介して信号配線２に接続されている。これらの第１及び第２ダミー画素電極５ａ，５ｂは正規の画素電極５と同一の構成と寸法を有する。
【０１８１】
対向側基板１０の液晶層側とは反対側には、偏光板などの光学フィルム１５が貼り付けられている。また、対向側基板１０の液晶層側には、表示画素群領域の周囲に遮光膜１７が設けられている。
【０１８２】
本実施形態における液晶セル１００では、表示画素群領域の周囲であって且つ第１及び第２ダミー走査電極１１ａ，１１ｂが存在しない領域に、構成の異なる走査電極側第３及び第４ダミー電極１１ｃ，１１ｄ、並びに画素電極側第３及び第４ダミー電極５ｃ，５ｄが配設されていることを特徴としている。
【０１８３】
つまり、対向側基板１０の液晶層側には、第１及び第２走査電極１１ａ，１１ｂのそれぞれの外側に、正規の走査電極１１に並行して、それよりも幅の狭い走査電極側第３及び第４ダミー電極１１ｃ，１１ｄが３本ずつ設けられている。また、走査電極側第３及び第４ダミー電極１１ｃ，１１ｄは正規の走査電極１１（第１及び第２ダミー走査電極１１ａ，１１ｂ）よりも間隔が短く密に配置されている。走査電極側第３及び第４ダミー電極１１ｃ，１１ｄは容量結合を生ぜしめることが目的ではないので電気的な接続形態に制限は無い。例えば、電気的に浮かせたり、他の電極に接続させることができる。本実施形態では３本ずつの走査電極側第３及び第４ダミー電極１１ｃ，１１ｄがまとめて１つの正規の走査電極１１に接続されている。
【０１８４】
素子側基板１の液晶層側には、第１及び第２ダミー画素電極５ａ，５ｂの電極群の外側に、それぞれ正規の画素電極５、第１及び第２ダミー画素電極５ａ，５ｂよりも平面形状の外寸法の小さいダミーの画素電極で構成された画素電極側第３及び第４ダミー電極５ｃ，５ｄの電極群が走査電極側第３及び第４ダミー電極１１ｃ，１１ｄに対応して３行ずつ設けられている。また、各画素電極側第３及び第４ダミー電極５ｃ，５ｄはそれぞれ薄膜ダイオード４ｃ，４ｄ（図示せず）を介して信号配線２に接続されている。これらの画素電極側第３及び第４ダミー電極５ｃ，５ｄは、走査電極側第３及び第４ダミー電極１１ｃ，１１ｄの場合と同様、正規の画素電極５（第１及び第２ダミー画素電極５ａ，５ｂ）よりも間隔が短く密に配設されている。薄膜ダイオード４ｃ，４ｄは、正規の薄膜ダイオード４と同一構成、寸法とされている。
【０１８５】
本実施形態によれば、以下の効果を奏する。
【０１８６】
すなわち、まず、正規の画素電極１１と少なくとも平面形状の外寸法が等しい第１及び第２ダミー画素電極５ａ，５ｂと第１及び第２ダミー走査電極が配置されているので、表示画素群領域の端に位置する表示画素に容量結合ＣSを生ぜしめることができ、その結果、その表示画素の表示濃度が他の表示画素の表示濃度と同一になる。また、第１及び第２ダミー走査電極１１ａ，１１ｂは正規の走査電極１１に接続されているので、ダミー電極用の対向側端子電極を用意する必要がない。
【０１８７】
次に、第１及び第２ダミー走査電極１１ａ，ｌ１ｂのそれぞれのさらに外側に走査電極側第３及び第４ダミー電極１１ｃ，１１ｄが設けられているのに加え、第１及び第２ダミー画素電極５ａ，５ｂの外側に薄膜ダイオード４ｃを備えた画素電極側第３及び第４ダミー電極５ｃ，５ｄが設けられているので、液晶セル１００の製造工程中に静電気が生じても、この薄膜ダイオード４ｃ，４ｄ（図示せず）が先に破壊されて表示画素群領域の表示画素の薄膜ダイオード４が破壊されずに済めば、それが不良になることを防ぐことができる。
【０１８８】
画素電極側第３及び第４ダミー電極５ｃ，５ｄは正規の画素電極５よりも平面形状の外寸法が小さいので複数個設けても液晶セル１００の外形を大きくなることがない。従って、特に多数個の画素電極側第３及び第４ダミー電極５ｃ，５ｄを設けても液晶セル１００の外形がほとんど変わらないので、マザー基板から取れる液晶セル１００の数が減ることが無いという利点がある。
【０１８９】
画素電極側第３及び第４ダミー電極５ｃ，５ｄ、並びに走査電極側第３及び第４ダミー電極１１ｃ，１１ｄはそれぞれ３本に限る必要はない。少なくとも薄膜ダイオード等のスイッチング素子を備えた画素電極側第３及び第４ダミー電極５ｃ，５ｄをより多数の配列で形成すると効果的である。走査電極側第３及び第４ダミー電極１１ｃ，１１ｄはそれぞれ画素電極側第３及び第４ダミー電極５ｃ，５ｄの対向電極であればよく、それらの行数に合わせて同じ数の走査電極側第３及び第４ダミー電極１１ｃ，１１ｄを設ける必要は無い。例えば、１つの大きなべた状の電極であってもよく、この１つの走査電極側第３及び第４ダミー電極１１ｃ，１１ｄに複数行の画素電極側第３及び第４ダミー電極５ｃ，５ｄが対向する形態でもかまわない。但し、表示画素群領域に隣接した容量結合の形成を目的としたダミー電極の配列数よりも外側に形成されるダミー電極の配列数の方を多くすることが、表示の均一化と静電気対策との両方に対して最大の効果を発揮させるには有効である。つまり、一般的に表示画素群は矩形状の領域になるが、この領域の周囲の少なくとも１辺に隣接して容量結合を目的としたダミー電極が１本配置され、さらに外側領域に複数本でダミー電極が配置される形態が良くこの形態が最も液晶セル１００の外形が大きくならない構成になる。
【０１９０】
また、第１及び第２ダミー走査電極１１ａ，１１ｂは正規の走査電極１１に接続された構造となっているが、第１及び第２ダミー走査電極１１ａ，１１ｂが例えば従来の液晶セルである図１９や図２０に図示されるように正規の走査電極１１と独立した構造であっても、本実施形態の発明の主旨である２種類のダミー電極の適切な配置構造によって、容量結合による表示の不均一性の解消と効果的な静電気対策を施すことができる効果が得られることは言うまでもない。
【０１９１】
尚、第３及び第４ダミー電極として、薄膜ダイオード４ｃ，４ｄ（図示せず）を備えた画素電極側第３及び第４ダミー電極５ｃ，５ｄ、並びに走査電極側第３及び第４ダミー電極１１ｃ，１１ｄを挙げたがこれに限らない。例えば、以下（１）から（５）に示す電極を第３及び第４ダミー電極として素子側基板１又は対向側基板１０の少なくとも一方に設けるようにしてもよい。
（１）液晶層の厚み制御を目的とした第３及び第４ダミー電極。例えば、表示画素を構成する電極材料を用いて表示画素群領域周囲に配置する。形状や数は当業者が決定して良いが、配線や画素電極に似たパターンと密度で形成する。
（２）素子側基板１と対向側基板１０との間隙を維持するために基板間に介在しているスペーサを、液晶セル１００の製造工程中の基板上に散布する時に基板表面の帯電状態を制御することを目的とした第３及び第４ダミー電極。例えば、表面が画素電極と同一材料である第３ダミー電極を表示画素群領域周囲に任意の形状と数で形成する。
（３）液晶層中の不純物を吸着させることを目的とした第３及び第４ダミー電極。例えば、外部から電位を与えられた電極であり、液晶を注入する為にシール材９の一部に設けられた開口部付近や、表示画素群領域の周囲に設けられる。
（４）液晶セル１００の表示画素群領域外の色見調整を目的とした第３及び第４ダミー電極。例えば、表示画素を構成する電極と同一材料を用いて、透過率や反射率を調整するパターンが表示画素群領域周囲に設けられる。
（５）正規の配線や電極の断線を補修するための冗長配線の第３及び第４ダミー電極。例えば、正規の配線や電極に対して並列配置されたり迂回経路となっている電極。
【０１９２】
上記に挙げた第３及び第４ダミー電極は、その構成や材料、寸法は自由である。なぜならば、第３及び第４ダミー電極と表示画素群領域の間に、表示画素を構成する電極と平面形状の外寸法が等しい容量結合の形成を目的とした第１及び第２ダミー電極が設けられているので、第３及び第４ダミー電極に関しては容量結合の観点すなわち等価回路の観点からの制限が与えられていないからである。よって容量結合の形成を目的とした第１及び第２ダミー電極のすぐ傍の領域から第３及び第４ダミー電極を配置しても表示画素は均一に表示され、第３及び第４ダミー電極に当業者が期待する機能を持たせることができる利点を有するのである。
【０１９３】
尚、表示画素群領域の周囲に各種の第１〜第４ダミー電極を設けているので、これらのダミー電極が表示される恐れがある。しかしながら、表示画素群領域の周囲に遮光膜１７が設けられているので、表示装置の使用者に美観上不快感を与えるのが避けられる。この遮光膜１７は、対向側基板１０だけでなく素子側基板１内側又はあるいは液晶セル１００外側表面に設けることもできる。
【０１９４】
また、第３及び第４ダミー電極の外側に液晶セル１００の外形の縁に向かってさらなるダミー電極を形成して良い。
【０１９５】
その他の作用効果は第１実施形態と同一である。
【０１９６】
（その他の実施形態）
以上薄膜ダイオードを有する液晶表示装置を例として実施形態を説明したがその適用範囲はこれに限らない。第１〜第５実施形態では、誘電性材料として液晶材料を用いた表示装置としたが、液晶材料ではなく他の誘電性材料、例えば無機発光材料や有機発光材料を電極間に狭持した表示装置であってもよく、要は走査電極と画素電極とを有し、これらの電極間に誘電性材料が挟持され、隣接した電極において寄生容量が生じる表示装置であれば本発明及び別の本発明を適用が可能である。
【産業上の利用可能性】
【０１９７】
本発明は、表示装置について有用である。
【図面の簡単な説明】
【０１９８】
【図１】第１実施形態に係る液晶表示装置の液晶セルの平面図である。
【図２】第１実施形態に係る液晶表示装置の液晶セルの一部分を拡大した斜視図である。
【図３】第１実施形態に係る液晶表示装置の液晶セルの走査電極に印加される走査信号を説明するための波形図である。
【図４】第１実施形態に係る液晶表示装置の液晶セルの変形例を示す斜視図である。
【図５】第２実施形態に係る液晶表示装置の液晶セルの平面図である。
【図６】第２実施形態に係る液晶表示装置の液晶セルの走査電極に印加される走査信号を説明するための波形図である。
【図７】第１実施形態に係る液晶表示装置の液晶セルの別の変形例の平面図である。
【図８】第３実施形態に係る液晶表示装置の液晶セルの平面図である。
【図９】第４実施形態に係る液晶表示装置の液晶セルの平面図である。
【図１０】第５実施形態に係る液晶表示装置の液晶セルの平面図である。
【図１１】第５実施形態に係る液晶表示装置の液晶セルの一部分を拡大した斜視図である。
【図１２】本発明に先立って行われた実験概要を説明するための説明図である。
【図１３】従来の液晶表示装置の液晶セルの一部分を拡大した斜視図である。
【図１４】従来の液晶表示装置の斜視図である。
【図１５】従来の液晶表示装置の液晶セルの平面図である。
【図１６】従来の液晶表示装置の液晶セルを構成する基板の一部分を拡大した斜視図である。
【図１７】従来の液晶表示装置の駆動波形を説明するための図である。
【図１８】従来の液晶表示装潰の他の駆動波形を説明するための図である。
【図１９】従来の表示不均一を解消するための構成を有する液晶表示装置の液晶セルの平面図である。
【図２０】従来の表示不均一を解消するための他の構成を有する液晶表示装置の液晶セルの平面図である。
【符号の説明】
【０１９９】
１  素子側基板
２  信号配線
２ａ  下部電極
３  上部電極
４，４ａ，４ｃ  薄膜ダイオード
５  画素電極
５ａ  第１ダミー画素電極
５ｂ  第２ダミー画素電極
５ｃ  画素電極側第３ダミー電極
５ｄ  画素電極側第４ダミー電極
６  素子側端子電極
７  データ信号回路基板
８  データ信号駆動用ＩＣチップ
９  シール材
１０  対向側基板
１１  走査電極
１１ａ  第１ダミー走査電極
１１ｂ  第２ダミー走査電極
１１ｃ  走査電極側第３ダミー電極
１１ｄ  走査電極側第４ダミー電極
１２  対向側端子電極
１２ａ，１２ｂ  ダミー対向側端子電極
１３  走査信号回路基板
１４  走査信号駆動用ＩＣチップ
１５  光学フィルム
１６  下地膜
１７  遮光膜
１８ａ，１８ｂ  電極
１９ａ〜１９ｄ  導電材
２０ａ〜２０ｄ  取り出し電極
１００  液晶セル
【図１】
2006072366.tif 000003
【図２】
2006072366.tif 000004
【図３】
2006072366.tif 000005
【図４】
2006072366.tif 000006
【図５】
2006072366.tif 000007
【図６】
2006072366.tif 000008
【図７】
2006072366.tif 000009
【図８】
2006072366.tif 000010
【図９】
2006072366.tif 000011
【図１０】
2006072366.tif 000012
【図１１】
2006072366.tif 000013
【図１３】
2006072366.tif 000014
【図１４】
2006072366.tif 000015
【図１５】
2006072366.tif 000016
【図１６】
2006072366.tif 000017
【図１７】
2006072366.tif 000018
【図１８】
2006072366.tif 000019
【図１９】
2006072366.tif 000020
【図２０】
2006072366.tif 000021
【図１２】
2006072366.tif 000022
【手続補正書】
【提出日】平成17年9月1日(2005.9.1)
【手続補正１】
【補正対象書類名】特許請求の範囲
【補正対象項目名】全文
【補正方法】変更
【補正の内容】
【特許請求の範囲】
【請求項１】
相互に並行して延びるように番号１から番号Ｎまで番号順に設けられたＮ本の正規の走査電極と、該走査電極の延びる方向と直交する方向に延びる複数の信号配線と、マトリクス状に配設され該信号配線に接続された複数の正規の画素電極と、誘電性材料層と、を備え、
上記Ｎ本の走査電極のうち１本目の走査電極の外側に隣接し且つ該１本目の走査電極に並行して延びるように設けられた第１ダミー走査電極と、
１行目の上記正規の画素電極の電極群の外側に隣接し且つ上記第１ダミー走査電極に対応するように設けられた第１ダミー画素電極と、
をさらに備え、
上記第１ダミー画素電極の領域には、記号が設けられていることを特徴とする表示装置。
【請求項２】
請求項１に記載された表示装置において、
上記第１ダミー画素電極の領域に設けられた記号は、電極材料と異なる材料によりパターニングされていることを特徴とする表示装置。
【請求項３】
請求項１に記載された表示装置において、
上記第１ダミー画素電極の領域に設けられた記号は、該第１ダミー画素電極の一部を切り欠いたもので構成されていることを特徴とする表示装置。
【請求項４】
請求項１に記載された表示装置において、
上記Ｎ本の走査電極には、時分割方式で走査信号が順次印加されるように構成されていることを特徴とする表示装置。
【請求項５】
請求項１に記載された表示装置において、
上記正規の画素電極により構成され、かつ矩形状の形状を有する表示画素群領域の周囲の少なくとも一辺に隣接して上記第１ダミー画素電極が設けられていることを特徴とする表示装置。
【請求項６】
相互に並行して延びるように番号１から番号Ｎまで番号順に設けられたＮ本の正規の走査電極と、該走査電極の延びる方向と直交する方向に延びる複数の信号配線と、マトリクス状に配設され該信号配線に接続された複数の正規の画素電極と、誘電性材料層と、を備え、
上記Ｎ本の走査電極のうちＮ本目の走査電極の外側に隣接し且つ該Ｎ本目の走査電極に並行して延びるように設けられた第２ダミー走査電極と、
Ｎ行目の上記正規の画素電極の電極群の外側に隣接し且つ上記第２ダミー走査電極に対応するように設けられた第２ダミー画素電極と、
をさらに備え、
上記第２ダミー画素電極の領域には、記号が設けられていることを特徴とする表示装置。
【請求項７】
相互に並行して延びるように番号１から番号Ｎまで番号順に設けられたＮ本の正規の走査電極と、該走査電極の延びる方向と直交する方向に延びる複数の信号配線と、マトリクス状に配設され該信号配線に接続された複数の正規の画素電極と、誘電性材料層と、を備え、
上記Ｎ本の走査電極のうち１本目の走査電極の外側に隣接し且つ該１本目の走査電極に並行して延びるように設けられた第１ダミー走査電極と、
１行目の上記正規の画素電極の電極群の周囲の少なくとも一辺に隣接するように設けられた第１ダミー画素電極と、
をさらに備え、
上記第１ダミー画素電極の領域には、記号が設けられていることを特徴とする表示装置。
【請求項８】
相互に並行して延びるように番号１から番号Ｎまで番号順に設けられたＮ本の正規の走査電極と、該走査電極の延びる方向と直交する方向に延びる複数の信号配線と、マトリクス状に配設され該信号配線に接続された複数の正規の画素電極と、誘電性材料層と、を備え、
上記Ｎ本の走査電極のうちＮ本目の走査電極の外側に隣接し且つ該Ｎ本目の走査電極に並行して延びるように設けられた第２ダミー走査電極と、
Ｎ行目の上記正規の画素電極の電極群の周囲の少なくとも一辺に隣接するように設けられた第２ダミー画素電極と、
をさらに備え、
上記第２ダミー画素電極の領域には、記号が設けられていることを特徴とする表示装置。
【手続補正２】
【補正対象書類名】明細書
【補正対象項目名】全文
【補正方法】変更
【補正の内容】
【発明の詳細な説明】
【技術分野】
【０００１】
本発明は、表示装置に関する。
【背景技術】
【０００２】
近年、平面型表示装置が実用化されており、特に液晶表示装置が広く使用されている。
【０００３】
液晶表示装置には様々な形態のものがあるが、ここでは薄膜ダイオードをスイッチング素子として有するアクティブ駆動型液晶表示装置を例として説明する。
【０００４】
図１４は、液晶表示装置の構成を示した斜視図である。図１５は、液晶表示装置を構成している液晶セル１００の平面図である。図１６は、１表示画素の近傍の拡大図である。
【０００５】
液晶表示装置は、液晶セル１００、データ信号回路基板７及び走査信号回路基板１３から構成され、液晶セル１００とデータ信号回路基板７及び走査信号回路基板１３のそれぞれとはＴＣＰ（Tape Carrier Package）方式の実装形態によって駆動ＩＣチップ８、１４に電気的に接続されている。図１４では、駆動ＩＣチップを走査信号回路側に３個、データ信号回路側に４個積載した形態を示している。尚、駆動ＩＣチップの実装はＴＣＰ方式の他、ＣＯＧ（Chip On Glass）方式も実用化されている。
【０００６】
液晶セル１００は、図１５に示すように、薄膜ダイオード４を有する素子側基板１、対向側基板１０及び偏光板に代表される光学フィルム１５から構成されている。
【０００７】
素子側基板１上には、所定の間隔でマトリクス状に画素電極５が配設され、各画素電極５は薄膜ダイオード４を介して信号配線２に接続され、信号配線２は素子側端子電極６に引き出されている。信号配線２は直線ではなく屈曲した形状の場合もある。
【０００８】
対向側基板１０上には、ストライプ状の走査電極１１が所定間隔をおいて複数配設されており、各走査電極１１は基板端に設けられた対向側端子電極１２に引き出されている。尚、表示画素配列によっては走査電極１１が単純なストライプではなく屈曲した形状になる場合もある。
【０００９】
素子側基返１及び対向側基板１０は、それぞれの電極表面に配向処理が施された後に、電極が向かいあい且つ一定の間隔を保持するように所定の径を有するプラスチックビーズ等のスペーサを基板間に配置するとともにシール材９を介して貼り合わされており、両基板間に形成された空隙に液晶材料が封入されている。
【００１０】
薄膜ダイオード４は、図１６に示すように、下部電極２ａ、下部電極２ａを覆うように形成された絶縁体（図示せず）及び上部電極４から構成され、所謂ＭＩＭ（Metal Insulator Metal）構造のものである。このようなＭＩＭ素子の構成材料は、下部電極２ａとしてＴａ、絶縁体としてＴａの酸化膜ＴａＯｘ、上部電極としてＣｒやＴｉが実用化されている。また、薄膜ダイオード４は、図示したような下部電極２ａと上部電極４が単純に交差する構造の他に、ダイオードリング構造、back to back構造と呼ばれる構造のものも提案されている。
【００１１】
以上のような構成の液晶表示装置においては、画素電極５と走査電極１１との重なり合う領域が１つの表示画素となり、この表示画素がマトリクス状に配列して矩形状の表示画素群を構成している。そして、両端に高い電圧が印加された時に低抵抗となり且つ低い電圧が印加されたときに高抵抗になるという薄膜ダイオード４の性質を利用し、所定の信号を素子側端子電極６と対向側端子電極１２とに与えて各表示画素に印加する信号電圧を調整することにより各表示画素の液晶分子の配向状態を制御し、それによって透過する光量を制御して所定の濃度の表示を行うようになっている。
【００１２】
図１７は、この液晶表示装置の駆動方法の概略を示したものであり、一般には、図に示すように、パルスを有する走査信号Ｓを各対向側端子電極１２に時間をずらして順次与え、そのパルスが与えられた時間にその走査電極１１が構成する表示画素群を選択状態とし、素子側端子６から表示画素が表示すべき濃度に基づいたデータ信号Ｄを信号配線２及び薄膜ダイオード４を経て画素電極５に与えて書き込むいわゆる時分割駆動が行われる。
【００１３】
ここで、各画素電極５へのデータの書き込みは選択期間Ｔ1のみに行われ、走査信号Ｓのパルスが与えられない非選択期間Ｔ2には各表示画素に設けられたアクティブ素子によってデータを書き込んだ状態が保持されるようになっている。そして、表示画面全体の表示は、表示画面を構成する走査電極１１を順次選択状態としてデータの書き込みを行うことにより実現される。尚、走査信号Ｓは、表示画面の１走査時間（１フレーム＝Ｔ1＋Ｔ2）単位に信号の極性を交互に切り替えられることが多い。これは液晶層に直流が印加され続けると液晶材料の劣化が起こるのでこれを避けるためである。また、走査信号Ｓは、隣接した走査電極１１同士においても信号の極性が切り替えられることが多い。これは１フレーム単位のみの極性切り替えでは、極性差による画面のちらつき（フリッカ）が目に付き易く、走査電極１１単位に極性を切り替えるとちらつきの空間周波数が高くなりちらつきが目立たなくなる効果があるからである。図１７に示す駆動方法では、１フレーム単位の走査信号Ｓの極性切り替え（フレーム反転駆動）と走査電極１１単位の走査信号Ｓの極性切り替え（ライン反転駆動）とを行っている。走査信号１１の極性の切り替えに応じてデータ信号Ｄの極性も切り替えることはいうまでもない。
【００１４】
また、非選択期間Ｔ2に保持電圧ＶHを印加する駆動方法もある。図１８は、そのような非選択期間Ｔ2に保持電圧ＶHを印加する駆動方法の概略を示したものである。
【００１５】
図１８に示す駆動方法は、図１７のものとほぼ同一であるが、非選択期間Ｔ2に走査電極１１に保持電圧ＶH（−ＶH）を印加している点が異なる。これは非選択期間中に画素電極に書き込んだデータを維持し易くなるように行われるものであり、走査信号Ｓのライン反転駆動を行う場合は、図１８に示すように、保持電圧ＶHの極性もまた走査電極１１単位で切り替わる。
【００１６】
ところで、薄膜ダイオードのような２端子スイッチング素子を配した液晶表示装置においては、ある表示画素の周辺に生じる容量結合ＣSの影響がその表示画素の表示に反映され易いことが知られている（例えば、図１６参照）。すなわち、ある表示画素の周辺の電極の配置の形態の違いや周辺の電圧の変動があると、それらがその表示画素に影響を及ぼすことにより表示濃度の違いとなって発生し、表示の不均一が生じることがある。
【００１７】
このような不均一な表示が発生する位置の例として、Ｎ本の走査電極を有するものにおいて、１本目の走査電極が構成する表示画素群と、Ｎ本目の走査電極が構成する表示画素群とを挙げることができる。これは、走査信号が走査電極の１本目からＮ本目に向かって順に印加されるが、１本目及びＮ本目の走査電極ではその一方側にしか隣接した走査電極がないため、これらの走査電極が構成する表示画素は、他の走査電極（Ｎ本の走査電極があるとした場合では２本目からＮ−１本目までの各走査電極を指す）が構成する表示画素よりも隣接した表示画素数が少なく、隣接した表示画素から受ける電気的影響の度合いが他の走査電極と比較して異なることを原因としている。
【００１８】
この表示濃度の乱れは比較的小さく、仮に１つの表示画素でこのような表示濃度の乱れが発生しても目立たない程度であるが、１本の走査電極が構成する表示画素全てに発生すると目立ち易くなる。特にＯＡ用途の表示でよく見られる中間レベルの表示濃度の表示を背景にした表示の場合に目立ち易い。
【発明の開示】
【発明が解決しようとする課題】
【００１９】
本願の目的は、走査電極の１本目あるいはＮ本目の各表示画素群に生じる不均一な表示を確実に解消できる表示装置を提供することである。
【課題を解決するための手段】
【００２０】
まず、発明者が液晶セルを用いて行った実験について説明する。図１２は実験の概略を示したものであり、液晶セルの駆動条件を５種類準備し、それぞれにおける液晶セルの表示状態を調べた。
【００２１】
液晶セルとして、薄膜ダイオードを使用した４８０×３２０ドットの白黒表示型で、表示画素ピッチが２４０μｍ、ＴＮモードの配向をさせたノーマリホワイト型の光学系を有するものを用いた。
【００２２】
実験にあたっては、液晶セルのデータ電極側の全てを接地し、走査電極を二つの領域に分け、一方にＡ波形、他方にＢ波形を与え、電圧を変化させながらそれぞれの駆動波形領域の境界における表示画素（ドット）の表示の濃淡を観察した。
【００２３】
この実験は、隣接した走査電極が構成する表示画素間に生じる容量結合が表示濃度に与える影響を調べることを目的とした。すなわちＡ波形とＢ波形で駆動した２つの領域の境界でなんらかの表示濃度の変化が生じれば、どんな駆動条件時に表示の乱れが発生するのかを定性的に把握することができる。駆動条件は、基本波形をＢ波形とし、Ａ波形を５種類に変えて液晶セルを観察した。基本波形であるＢ波形は、１／３２０デューティー、フレーム周波数６０Ｈｚの走査信号に相当するパルスを極性を変えながら有する波形とした。
【００２４】
実験(i)  Ａ波形：Ｂ波形を同極性で１パルス単位でずらした波形。実際の液晶表示装置におけるフレーム反転のみの駆動を模している。
【００２５】
実験(ii)  Ａ波形：Ｂ波形を逆極性に１パルス単位でずらした波形。実際の液晶表示装置におけるフレーム反転とライン反転の駆動を模している。
【００２６】
実験(iii)  Ａ波形：Ｂ波形を同一極性で同一タイミングとした波形。
【００２７】
実験(iv)  Ａ波形：Ｂ波形を逆極性で同一タイミングとした波形。
【００２８】
実験(v)  Ａ波形：Ｂ波形を接地した波形。
【００２９】
結果は以下のようになった。
【００３０】
実験(i)  駆動領域境界に接する両領域の各走査電極１本が構成する表示画素の透過率が増加した。パルスの位置を同極性でずらしてもこの点灯状態は変化しなかった。
【００３１】
実験(ii)  駆動領域境界に接する両領域の各走査電極１本が構成する表示画素の透過率が増加した。パルスの位置を逆極性でずらしてもこの点灯状態は変化しなかった。
【００３２】
実験(iii)  表示画素の透過率の変化は見られなかった。
【００３３】
実験(iv)  駆動領域境界に接する両領域の各走査電極１本が構成する表示画素の透過率が増加した。この透過率の増加は実験(i)や実験(ii)よりも大きかった。
【００３４】
実験(v)  Ｂ波形領域のＡ波形領域よりの走査電極本が構成する表示画素の透過率が上昇した。この透過率の増加は実験(i)や(ii)と同等であった。
【００３５】
上記の結果から本発明者は以下の知見（１）、（２）、（３）を得た。
（１）着目した走査電極が構成する表示画素における表示濃度の乱れは、実質的に隣接した１本の走査電極が構成する表示画素との結合容量による作用で生じる。
（２）着目した走査電極が構成する表示画素における表示濃度の乱れは、その走査電極へのパルス印加時（選択期間）に起因したものであり、パルスが無い時（非選択期間）に隣接した走査電極に与えられた印加電圧から受ける影響によって、着目した走査電極が構成する表示画素の表示濃度が影響されることはない。
（３）着目した走査電極が構成する表示画素における表示濃度に乱れの大小は、着目した走査電極のパルス印加時における、着目した走査電極の印加電圧と隣接した走査電極の印加電圧の差電圧が大きいほど大きい。
【００３６】
また、この実験から液晶表示装置において走査電極１本目（と最終本目）に生じる表示の濃度の乱れは以下のように考えられる。
【００３７】
図１３は、液晶セルの走査電極１本目から３本目に相当する部分を示した斜視図である。
【００３８】
走査電極１１の１本目から順に走査信号Ｓ1、Ｓ2、Ｓ3、…が与えられ、データ信号が信号配線２から与えられるが、図１７又は図１８で説明したとおりに、ある走査電極に走査信号のパルスが印加されたときは隣接した走査電極にパルスは無い（か一定の保持電圧）状態にある。
【００３９】
説明した実験結果から得た知見（１）に基づけば、隣接した走査電極１１が１つしか存在しない１本目の走査電極１１が構成する表示画素は、受ける電気的影響が他の走査電極１１が構成する表示画素よりも小さい為にその表示濃度が異なるものと考えられる。最終本目の走査電極が構成する表示画素においても隣接した走査電極が１つのみであるので同様に表示濃度が異なるものと考えられる。
【００４０】
すなわち、電気的影響の小さい１本目（最終本目）の走査電極１１か構成する表示画素と、影響が大きい２本目からＮ−１本目までの走査電極１１が構成する表示画素とで表示濃度が異なるのである。
【００４１】
発明者はここでこの表示濃度の乱れを生じる原因が、走査電極１１同士に生じる容量結合であるのか若しくは画素電極１１同士で生じる容量結合であるのか判断できなかった為、次に述べる実験を行った。すなわち素子側基板１に画素電極５を伴わないダミーの走査電極を０本目の位置の対向側基板１０上に形成し、このダミーの走査電極に非選択電位を与えながら液晶表示装置を駆動させ、１本目の走査電極１１が構成する表示画素の表示濃度を観察した。この結果、表示濃度の乱れの改善度合いは、画素電極５を設けた場合に比較して小さかった。
【００４２】
これは画素電極５同士の離間距離ａ（実験では６μｍ）よりも走査電極１１同士の離間距離ｂ（２０μｍ）が大きいことが原因と考えられた。また、素子側基板１上には電極材料の密着性の改善やエッチングストップの目的で酸化物などの下地膜（ベースコートとも呼称される）１６が形成されるが、酸化物として    Ｔａ2０5などの比誘電率（２０〜２５）が大きい材料が使用されることが多い。したがって、比誘電率が８〜１３である液晶層寄りに生じる寄生容量だけではなく、こうした比誘電率が大きい下地層寄りに生じる寄生容量も問題であると考えられた。
【００４３】
以上から本発明者は次の知見（４）を得た。
（４）表示を乱す容量結合は離間距離が小さい電極同士で生じる。すなわち、走査信号Ｓnが印加された走査電極と、それに隣接した走査信号Ｓn+1（Ｓn-1）が印加された走査電極との差電圧が生じると、表示画素の容量ＣLCを介して離間距離が短い画素電極５同士で容量結合ＣSが生じ、これが表示濃度を乱している。
【００４４】
尚、画素電極５同士の離間距離ａを走査電極１１同士の離間距離ｂよりも短くしているのは、開口率の確保や長距離で近接する走査電極１１同士の短絡を防ぐこと等を理由としている。一般的には、離間距離ａは４μｍ前後、離間距離ｂは１０〜２０μｍ程度である。
【００４５】
本発明は、相互に並行して延びるように番号１から番号Ｎまで番号順に設けられたＮ本の正規の走査電極と、該走査電極の延びる方向と直交する方向に延びる複数の信号配線と、マトリクス状に配設され該信号配線に接続された複数の正規の画素電極と、誘電性材料層と、を備え、
上記Ｎ本の走査電極のうち１本目の走査電極の外側に隣接し且つ該１本目の走査電極に並行して延びるように設けられた第１ダミー走査電極と、
１行目の上記正規の画素電極の電極群の外側に隣接し且つ上記第１ダミー走査電極に対応するように設けられた第１ダミー画素電極と、
をさらに備え、
上記第１ダミー画素電極の領域には、記号が設けられていることを特徴とする表示装置である。
【００４６】
本発明の表示装置は、上記第１ダミー画素電極の領域に設けられた記号が電極材料と異なる材料によりパターニングされているものであってもよい。
【００４７】
本発明の表示装置は、上記第１ダミー画素電極の領域に設けられた記号が、該第１ダミー画素電極の一部を切り欠いたもので構成されているものであってもよい。
【００４８】
本発明の表示装置は、上記Ｎ本の走査電極には、時分割方式で走査信号が順次印加されるように構成されているものであってもよい。
【００４９】
本発明の表示装置は、上記正規の画素電極により構成された表示画素群領域の周囲にダミー画素電極が設けられているものであってもよい。
【００５０】
他の本発明は、相互に並行して延びるように番号１から番号Ｎまで番号順に設けられたＮ本の正規の走査電極と、該走査電極の延びる方向と直交する方向に延びる複数の信号配線と、マトリクス状に配設され該信号配線に接続された複数の正規の画素電極と、誘電性材料層と、を備え、
上記Ｎ本の走査電極のうちＮ本目の走査電極の外側に隣接し且つ該Ｎ本目の走査電極に並行して延びるように設けられた第２ダミー走査電極と、
Ｎ行目の上記正規の画素電極の電極群の外側に隣接し且つ上記第２ダミー走査電極に対応するように設けられた第２ダミー画素電極と、
をさらに備え、
上記第２ダミー画素電極の領域には、記号が設けられていることを特徴とする表示装置である。
【００５１】
他の本発明は、相互に並行して延びるように番号１から番号Ｎまで番号順に設けられたＮ本の正規の走査電極と、該走査電極の延びる方向と直交する方向に延びる複数の信号配線と、マトリクス状に配設され該信号配線に接続された複数の正規の画素電極と、誘電性材料層と、を備え、
上記Ｎ本の走査電極のうち１本目の走査電極の外側に隣接し且つ該１本目の走査電極に並行して延びるように設けられた第１ダミー走査電極と、
１行目の上記正規の画素電極の電極群の周囲の少なくとも一辺に隣接するように設けられた第１ダミー画素電極と、
をさらに備え、
上記第１ダミー画素電極の領域には、記号が設けられていることを特徴とする表示装置である。
【００５２】
また、他の本発明は、相互に並行して延びるように番号１から番号Ｎまで番号順に設けられたＮ本の正規の走査電極と、該走査電極の延びる方向と直交する方向に延びる複数の信号配線と、マトリクス状に配設され該信号配線に接続された複数の正規の画素電極と、誘電性材料層と、を備え、
上記Ｎ本の走査電極のうちＮ本目の走査電極の外側に隣接し且つ該Ｎ本目の走査電極に並行して延びるように設けられた第２ダミー走査電極と、
Ｎ行目の上記正規の画素電極の電極群の周囲の少なくとも一辺に隣接するように設けられた第２ダミー画素電極と、
をさらに備え、
上記第２ダミー画素電極の領域には、記号が設けられていることを特徴とする表示装置である。
【発明を実施するための最良の形態】
【００５３】
次に添付図面に基づいて液晶表示装置の実施の形態について説明する。尚、説明文中、”〜本目の走査電極”等の表現を多用するが、特に断りのない限り図面上方向から順に数えたものとする。
【００５４】
（第１の実施の形態）
図１は、第１実施形態に係る液晶表示装置の液晶セル１００の平面図である。図１では、対向側基板１０を紙面手前に、及び素子側基板１を紙面奥にそれぞれ配置した状態を示している。図２は、液晶セル１００の拡大斜視図であり第１ダミー走査電極１１ａ近傍を示している。図３は、走査電極に印加される駆動波形を示したものである。
【００５５】
この液晶セル１００は、相互に対向するように設けられた素子側基板１及び対向側基板１０と、それらの両基板に狭持されるように設けられた液晶層（誘電性材料層）とからなる。
【００５６】
素子側基板１の液晶層側には、所定の間隔でマトリクス状に画素電極５が配設されている。各画素電極５は薄膜ダイオード４を介して信号配線２に接続され、また、信号配線２は素子側端子電極６に引き出されている。
【００５７】
対向側基板１０の液晶層側には、所定寸法の正規の走査電極１１が間隔をおいてＮ本設けられており、各走査電極１１は対向側端子電極１２に接続されている。Ｎの数値は予め定められた表示画素フォーマットに従うが、通常１２０、１６０、２４０、３２０、４８０、６００、７６８、１０２４、１２００等の偶数である。
【００５８】
このような素子側基板１と対向側基板１０とは、それぞれ配向処理が行われた後、シール材９を介してスペーサ（図示せず）を利用して所定の間隔を維持すると共に、信号配線２の延びる方向と走査電極１１の延びる方向とが直交し且つ画素電極５と走査電極１１とが向かい合うように貼り合わされており、走査電極１１が延びる方向に並んだ複数の画素電極５が電極群を構成している。両基板の間隙には液晶材料が封入されており、それが液晶層を構成しており、液晶層では液晶分子が所定の配向状態をとっている。そして、画素電極５と走査電極１１とそれらの間の液晶層とにより１つの表示画素が規定される。
【００５９】
対向側基板１０の液晶層側と反対側には、偏光板などの光学フィルム１５が貼り付けられている。また、対向側基板１０の液晶層側には、表示画素群領域の周囲に遮光膜１７が設けられている。
【００６０】
本実施形態では、対向側基板１０の液晶層側（遮光膜１７上）において、１本目の走査電極１１の外側の０本目の走査電極対応位置に第１ダミー走査電極１１ａ及びＮ本目の走査電極の外側のＮ＋１本目の走査電極対応位置に第２ダミー走査電極１１ｂが、それぞれ正規の走査電極１１と同一寸法、同一材料で設けられている。また、ダミー走査電極１１ａ，１１ｂと正規の走査電極１１との離間距離ｄは、正規の走査電極１１同士の離間距離ｂと同一とされている。
【００６１】
第１ダミー走査電極１１ａの液晶層を介して対向する素子側基板１の液晶層側には、１本目の走査電極１１に対向した１行目の画素電極５の電極群に隣接して各々が薄膜ダイオード４ａを有する第１ダミー画素電極５ａの電極群が設けられている。また、同様に、第２ダミー走査電極１１ｂの液晶層を介して対向する素子側基板１の液晶層側には、Ｎ本目の走査電極１１に対向したＮ行目の画素電極５の電極群に隣接して各々が薄膜ダイオード（図示せず）を有する第２ダミー画素電極５ｂの電極群が設けられている。また、第１ダミー走査電極１１ａに対応した第１ダミー画素電極５ａ及びこれが有する薄膜ダイオード４ａの寸法や材料は、正規の画素電極５及び薄膜ダイオード４と同一とされている。同様に、第２ダミー走査電極１１ｂに対応した第２ダミー画素電極５ｂ及びこれが有する薄膜ダイオード（図示せず）の寸法や材料も正規の画素電極５及び薄膜ダイオード４と同一とされている。さらに、正規の画素電極５とダミーの画素電極５ａとの離間距離ｃは、正規の画素電極５同士の離間距離ａと同一とされている。つまり、第１ダミー走査電極１１ａに対応した第１ダミー画素電極５ａが有する諸寸法は正規の画素電極５と同一であり、また、第２ダミー走査電極１１ｂに対応した第２ダミー画素電極５ｂに関しても同様であり、その諸寸法は正規の画素電極５と同一である。
【００６２】
すなわち、第１及び第２ダミー走査電極１１ａ，１１ｂ、第１及び第２ダミー画素電極５ａ，５ｂ並びにそれらが有する薄膜ダイオード４ａの形成は、従来の液晶セル１００の基板の製造に使用するフォトマスクの変更のみで容易に実現できる。尚、図２に示すように、第１ダミー画素電極５ａと正規の画素電極５の離間距離ｃは、第１ダミー走査電極１１ａと正規の走査電極１１の離間距離ｄよりも短いほうがよい。これは、対向側基板１０上の電極のパターニングに使用される露光装置は、プロキシミティー露光装置等の１０μｍ程度の解像度のものが多く、効率的に容量結合を生じる程度の離間距離で走査電極１１を加工するためには製造上の不都合を伴うからである。また、離間距離を短く加工できたとしても、走査電極１１は長距離を平行して配置されるので異物による短絡の恐れが増し、短絡した場合にその場所の特定が難しく、製造上修正が困難であることから好ましくない。一方、素子側基板１上の電極のパターニングに使用する露光装置は、ステッパー露光装置等の４μｍ程度の解像度を有する露光装置である場合が多く、充分に画素電極５の離間距離を短く加工でき好都合である。また、異物で画素電極５同士が短絡しても短絡場所の特定が容易であるので修正が行いやすく特に製造上不都合を伴うことがない。
【００６３】
ここで、本実施形態に係る液晶セル１００の構造の特徴は、第１ダミー走査電極１１ａが２本目の正規の走査電極１１に接続されていると共に、第２ダミー走査電極１１ｂがＮ−１本目の正規の走査電極１１に接続されていることである。
【００６４】
このような接続をする理由を以下に説明する。
【００６５】
図３は、正規の走査電極１１の各々に印加する走査信号Ｓn（ｎ＝１〜８、本図は正規の走査電極の数Ｎ＝８の場合である）を示している。
【００６６】
本図は従来から行われている典型的なフレーム反転及びライン反転を有する走査信号を示している。すなわち、着目したある走査信号Ｓnは、１フレームにＶSの大きさの電圧が印加される選択期間と、０Ｖの電圧が印加される非選択期間とを有し、選択期間の電圧の極性がフレーム毎に切り替えられており、また、ある走査信号Ｓnと隣接した走査信号Ｓn-1あるいはＳn+1とは、選択期間のタイミングが１選択期間づつずらされていると共に、選択期間の電圧の極性が互いに逆になるようにされている。
【００６７】
さて、発明者が実験から得た知見（２）および知見（３）によれば、１本目及びＮ本目の正規の走査電極１１が構成する表示画素に表示濃度の異常が生じないようにするためには、隣接した走査電極１１との間の容量結合による作用を他の正規の走査電極（すなわち２本目からＮ−１本目までの走査電極）１１が構成する表示画素の場合に生じる容量結合による作用と等しくすればよい。
【００６８】
正常な濃度を示す表示画素を構成する正規の走査電極１１に印加される走査信号Ｓn（ｎ＝２〜Ｎ−１）と、これに隣接した２つの走査電極１１に印加される走査信号Ｓn-1とＳn+1を比較すると、走査信号Ｓnが選択状態にある時は、Ｓn-1およびＳn+1は必ず０であることが判る。これはいわゆる時分割駆動の特徴である。
【００６９】
すなわち、選択状態時の走査電極１１は、非選択状態にある隣接した２つの走査電極１１との間で液晶層の容量を介して容量結合を２箇所で生じているのである。
【００７０】
よって、第１ダミー走査電極１１ａに印加すべき走査信号Ｓ0は、１本目の正規の走査電極１１に走査信号Ｓ1が印加されて選択状態になった時に最低限０Ｖの電圧を有すればよい。図３では、走査信号Ｓ0が満たすべき電圧を太線で示し、他の部分を細線で示している。また、第２ダミー走査電極１１ｂに印加すべき走査信号Ｓ8+1に関しても同様であり、図３では、０Ｖの電圧であるべき部分を太線で示し、他の部分を細線で示している。尚、図３では、０Ｖを中心とした振幅ＶSを有する走査信号を用いて説明したが、上記の説明から明らかなように、振幅の中心電圧が０Ｖでない場合でも同じように説明できる。すなわち、第１ダミー走査電極１１ａに印加すべき走査信号Ｓ0は、１本目の正規の走査電極１１に走査信号Ｓ1が印加されて選択状態になった時に非選択状態時の電圧を最低限有すればよい。また、第２ダミー走査電極１１ｂに印加すべき走査信号Ｓ8+1は、８本目の正規の走査電極１１に走査信号Ｓ8が印加されて選択状態になった時に非選択状態時の電圧を最低限有すればよい。
【００７１】
以上のように第１ダミー走査電極１１ａに印加すべき走査信号Ｓ0及び第２ダミー走査電極１１ｂに印加すべき走査信号Ｓ8+1が満たすべき条件が判った。
【００７２】
ここで、走査信号Ｓ0が部分的に非選択状態（図３では０Ｖ）の電圧を有する必要があることと、他の走査信号Ｓnに非選択状態時（図３では０Ｖ）の電圧を含む部分が存在することとの両方に着目する。すると、Ｓ2〜Ｓ8までのいずれの走査信号ＳnもＳ0として利用できることが判る。なぜならば、Ｓ2〜Ｓ8の走査信号はいずれも走査信号Ｓ1が選択状態にある時に非選択状態（０Ｖ）であるからである。これらのことより、第１ダミー走査電極１１ａは、２本目から８本目までのいずれか１つの正規の走査電極に接続させることができる。また、第２ダミー走査電極１１ｂに関しても同様の理由から、１本目から７本目までのいずれか１つの正規の走査電極に接続させることができる。
【００７３】
ここで、第１ダミー走査電極１１ａの接続先となる正規の走査電極１１と、第２ダミー走査電極１１ｂの接続先となる正規の走査電極１１とは上記条件を満たす限り自由に選ぶことができる。極端な例では第１ダミー走査電極１１ａの接続先となる正規の走査電極１１と、第２ダミー走査電極１１ｂの接続先となる正規の走査電極１１を一致させることもできる。しかし、実施にあたっては断線等の不具合に配慮して接続距離が短くなるようにすることが好ましい。例えば、第１ダミー走査電極１１ａは正規の走査電極１１群の前半（２本目から４本目まで）の１つに、第２ダミー走査電極１１ｂは正規の走査電極１１群の後半（５本目から７本目まで）の１つに接続させるとよい。
【００７４】
図３では、Ｎ＝８の場合で説明したが、任意の本数の正規の走査電極１１を有する液晶セル１００全てに関して上記の接続条件を適用することができる。すなわち、第１ダミー走査電極１１ａを１本目以外の正規の走査電極１１のいずれか１つに接続させ、また、第２ダミー走査電極１１ｂをＮ本目以外の正規の走査電極１１のいずれか１つに接続させるようにすればよい。
【００７５】
従って、本実施形態によれば、対向側基板１０に第１及び第２ダミー走査電極１１ａ，１１ｂのための新たな対向側端子電極を設ける必要がなく、第１及び第２ダミー走査電極１１ａ，１１ｂにそれぞれ印加される走査信号を用意することができる。この結果として、１本目からＮ本目までの正規の走査電極１１が構成する表示画素のいずれも均一な表示濃度を示す表示装置を得ることができる。
【００７６】
また、対向側基板１０に設けられる駆動ＩＣチップが複数必要であっても、１種類のＩＣチップを用いるだけでよいので、部品の共通化によるコスト削減や組み立て時の部品間違い等が無く作業効率が良好なものとなる。
【００７７】
また、第１ダミー走査電極１１ａは液晶層を介して第１ダミー画素電極５ａを、及び第２ダミー走査電極１１ｂは液晶層を介して第２ダミー画素電極５ｂをそれぞれ有しているので、表示装置を駆動する際になんらかの表示を行ってしまい、この表示は美観上不快であるが、本実施形態ではそれらが遮光膜１７で覆われており、表示装置の使用者が直接視認できないようになっている。遮光膜１７は、対向側基板１０内側でなく、素子側基板１側に設けたり、あるいは表示装置の外側表面に設けてもよい。このような遮光膜１７は、従来の表示装置、特にカラー表示をおこなう表示装置で設けられていることが多く、当業者にとって遮光膜１７を設けることの不都合は実質的に無い。
【００７８】
また、隣接したものとの離間距離の短い第１及び第２ダミー画素電極５ａ，５ｂが設けられているので、知見（４）によれば、その存在が容量結合を生ぜしめるために非常に有効となる。
【００７９】
また、第１及び第２ダミー画素電極５ａと正規の画素電極５との離間距離ｃは、正規の画素電極５同士の離間距離ａと同一としているので、第１及び第２ダミー画素電極５ａと正規の画素電極５との間に生じる結合容量が、正規の画素電極５同士の電極の間に生じる容量結合と等しくなり、さらに、第１及び第２ダミー画素電極５ａに対応した液晶層の容量も正規の画素電極５に対応した液晶層の容量と同一となるので、１つの表示画素の等価回路が有する定数を正規の画素電極５と第１及び第２ダミー画素電極５ａとで等しくなり、表示画素の周囲に等しく容量結合を理想的に生じさせることができる。
【００８０】
ここで、ダミーの画素電極５ａは容量結合形成に係るものであり、平面形状の外寸法が正規の画素電極５と同一であればよく、その材料は必ずしも正規の画素電極５と同一である必要はない。例えば、図４に示すように、第１ダミー画素電極５ａを正規の画素電極５の材料と同一材料（例えばＩＴ０）で形成し、遮光のためにさらにほぼ同一寸法で上部電極材料（例えばＴｉ）を利用して遮光部３ａを設けてもよい。この遮光部３ａは、第１ダミー画素電極５ａの部分の表示が使用者から見えないように覆い隠す目的で形成するものである。
【００８１】
また、第１及び第２ダミー画素電極５ａ，５ｂに記号を設けてもよい。第１及び第２ダミー画素電極５ａ，５ｂと正規の画素電極５の区別は難しいので、素子側基板１の製造工程中の検査時に不良の第１及び第２ダミー画素電極５ａ，５ｂを誤って正規の画素電極５が不良であると判断し、この液晶セル１００が不良であると誤判断される恐れもある。そこで、第１及び第２ダミー画素電極５ａ，５ｂの領域中に例えば”Ｄ”等と明瞭に第１及び第２ダミー画素電極５ａ，５ｂであることを示す記号を電極をごく一部を切り欠いた形状で設けたり、他の材料でパターニングすることにより、かかる誤判断が回避される。
【００８２】
また、容量結合は電極の端近傍で生じる成分が主であるので、ダミー画素電極の中央に一部欠損があったり、凹凸があったりしても機能上の問題は無く、第１及び第２ダミー画素電極５ａをかかる構成のものとしてもよい。
【００８３】
（第２の実施の形態）
図５は、第２実施形態に係る液晶表示装置の液晶セル１００の平面図である。図５では、対向側基板１０を紙面手前に、及び素子側基板１を紙面奥にそれぞれ配置した状態を示している。図６は、走査電極１１に印加される駆動波形を示したものである。
【００８４】
この液晶セル１００は、第１実施形態で示した構造とほぼ同一であり、同じ形状で同一符号の部品の説明は省略する。
【００８５】
本実施形態に係る液晶セル１００の構造の特徴は、第１ダミー走査電極１１ａが３本目の正規の走査電極に接続され、また第２ダミー走査電極１１ｂがＮ−２本目の正規の走査電極に接続されていることである。つまり第１及び第２ダミー走査電極１１ａ，１１ｂの接続先が第１実施形態とは異なる。
【００８６】
本実施形態の液晶表示装置は、図６に示すように、その走査信号Ｓnが非選択期間に＋ＶH（−ＶH）の電圧を保持しており、フレーム反転及びライン反転を行っている。このような場合、第１及び第２ダミー走査電極１１ａ，１１ｂに印加すべき電圧条件が第１実施形態とは異なることに注意しなければならない。
【００８７】
第１及び第２ダミー走査電極１１ａ，１１ｂの接続先が第１実施形態と異なる理由を、それらに印加すべき電圧条件と関連させて以下に説明する。
【００８８】
図６は、正規の走査電極１１の各々に印加する走査信号Ｓn（ｎ＝１〜８、本図は正規の走査電極の数Ｎ＝８の場合である）を示している。
【００８９】
本図は従来から行われている典型的なフレーム反転及びライン反転を有する走査信号Ｓnを示している。すなわち着目したある走査信号Ｓnは、１フレームにＶSの大きさの電圧が印加される選択期間と、ＶH又は−ＶHの電圧が保持される非選択期間とを有し、電圧の極性がフレーム毎に切り替えられており、また、ある走査信号Ｓnと隣接した走査信号Ｓn-1あるいはＳn+1とは、選択期間のタイミングが１選択期間づつずらされていると共に、電圧の極性が互いに逆になるようにされている。
【００９０】
さて、発明者が実験から得た知見（２）および（３）によれば、１本目（Ｎ本目）の正規の走査電極１１が構成する表示画素に表示濃度の異常が生じないようにするためには、隣接した走査電極１１との間の作用を、他の正規の走査電極（すなわち、２本目からＮ−１本目までの走査電極）１１が構成する表示画素の場合に生じる作用と等しくすればよい。
【００９１】
正常な濃度を示す表示画素を構成する正規の走査電極１１に印加される走査信号Ｓn（ｎ＝２〜Ｎ−１）と、これに隣接した２つの走査電極１１，１１に印加される走査信号Ｓn-1とＳn+1を比較すると、走査信号Ｓnが選択状態にある時は、Ｓn-1およびＳn+1に印加されている電圧の組み合わせは、＋ＶHと−ＶHとの組み合わせ、又は−ＶHと＋ＶHとの組み合わせになる。
【００９２】
すなわち、選択状態にある走査電極１１は、非選択状態にある隣接した２つの走査電極１１，１１との間で液晶層の容量を介して容量結合が２箇所で生じていることは第１実施形態と同じであるが、その２つの容量結合は同じではない。
【００９３】
よって、第１ダミー走査電極１１ａに印加すべき走査信号Ｓ0は、１本目の正規の走査電極１１に印加される走査信号Ｓ1が選択状態になった時に、２本目の正規の走査電極１１に印加されている電圧によって切り替える必要がある。具体的には、走査信号Ｓ0は、２本目の正規の走査電極に印加されている電圧が＋ＶHの時には−ＶHを、２本目の正規の走査電極に印加されている電圧が−ＶHの時には＋ＶHを有する必要がある。図６では、走査信号Ｓ0が満たすべき電圧を太線で示し、他の部分を細線で示している。また、第２ダミー走査電極１１ｂに印加すべき走査信号Ｓ8+1に関しても同様であり、図６に満たすべき電圧の部分を太線で示し、他の部分を細線で示している。尚、図６では０Ｖを中心とした振幅ＶSを有する走査信号を用いて説明したが、上記の説明から明らかなように、振幅の中心電圧が０Ｖでない場合でも同じように説明できる。すなわち、第１ダミー走査電極１１ａに印加すべき走査信号Ｓ0は、１本目の正規の走査電極１１に印加される走査信号Ｓ1が選択状態になった時に、２本目の正規の走査電極１１に印加される走査信号Ｓ2が有する電圧とは反対の＋ＶHか−ＶHのどちらかを有する必要がある。また、第２ダミー走査電極１１ｂに印加すべき走査信号Ｓ8+1は、８本目の正規の走査電極に印加される走査信号Ｓ8が選択状態になった時に、７本目の正規の走査電極に印加される走査信号Ｓ7が有する電圧とは反対の＋ＶHか−ＶHのどちらかを有する必要がある。以上のように、第１ダミー走査電極１１ａに印加すべき走査信号Ｓ0と第２ダミー走査電極１１ｂに印加すべき走査信号Ｓ8+1が満たすべき条件が判った。
【００９４】
ここで、走査信号Ｓ0が部分的に非選択（図６では＋ＶHか−ＶH）の電圧を有する必要があることと、他の走査信号Ｓnに非選択（図６では＋ＶHか−ＶH）の電圧を含む部分が存在することの両方に着目する。すると、Ｓ3、Ｓ5，Ｓ7のいずれの走査信号ＳnもＳ0として利用できることが判る。なぜならば、Ｓ3、Ｓ5、Ｓ7の走査信号はいずれも走査信号Ｓ1が選択状態にある時に、走査信号Ｓ2とは反対の＋ＶHか−ＶHの電圧を有するからである。よって、第１ダミー走査電極１１ａは、３本目、５本目、７本目のいずれか１つの正規の走査電極に接続させることができる。また、第２ダミー走査電極１１ｂに関しても同様の理由から、２本目、４本目、６本目のいずれか１つの正規の走査電極に接続させることができる。
【００９５】
ここで、第１ダミー走査電極１１ａの接続先となる正規の走査電極１１と、第２ダミー走査電極１１ｂの接続先となる正規の走査電極１１とは上記条件を満たす限り自由に選べる。例えば断線等の不具合に配慮して選択すればよい。
【００９６】
図６では、Ｎ＝８の場合で説明したが、任意の本数の正規の走査電極１１を有する液晶セル１００全てに関して上記の接続条件を適用することができる。すなわち、第１ダミー走査電極１１ａを１本目以外の奇数番目の正規の走査電極１１のいずれか１つに接続させると共に、第２ダミー走査電極１１ｂをＮ本目以外の偶数番目の正規の走査電極１１のいずれか１つに接続させればよい。
【００９７】
尚、本実施形態では、１ライン毎に極性が切り替わる走査信号Ｓnでの場合を示したが、Ｎライン毎に極性が反転する場合でも適用できる。さらに広く適用させるためには以下に留意すれば良い。即ち、着目した正規の走査電極１１に印加されている走査信号Ｓnが選択状態にある時に、隣の走査電極１１に印加されている走査信号Ｓn-1およびＳn+1が示している電圧の組み合わせがどの正規の走査電極１１においても等しくなるように、第１ダミー走査電極１１ａの接続先となる正規の走査電極１１と、第２ダミー走査電極１１ｂの接続先となる正規の走査電極１１を選択すればよいのである。
【００９８】
また、本実施形態における第１及び第２ダミー走査電極１１ａ，１１ｂと正規の走査電極１１との接続形態は、非選択期間に＋ＶH又は−ＶHの電圧が保持されない、すなわち、第１実施形態における駆動波形でも適用できることは言うまでもない。何故ならば、第１実施形態の駆動波形は本実施形態において＋ＶH＝−ＶH（＝０）の場合に相当するからである。
【００９９】
その他の作用効果は第１実施形態と同一である。
【０１００】
（第３の実施の形態）
図７は、第１実施形態に係る液晶表示装置の液晶セル１００の変形例の平面図である。図７では、対向側基板１０を紙面手前に、及び素子側基板１を紙面奥にそれぞれ配置した状態を示している。
【０１０１】
先に示した第１及び第２実施形態では、正規の走査電極１１に印加される駆動波形によって第１ダミー走査電極１１ａの接続先及び第２ダミー走査電極１１ｂの接続先を適切に選択している。
【０１０２】
これらの接続形態は基本的な走査電極１１のパターンを僅かに手直しして出来るものであるが、より柔軟性のある接続形態の提示も求められる。例えば、図７に示すように長距離にわたる第１及び第２ダミー走査電極１１ａ，１１ｂと正規の走査電極１１との接続が必要になった場合、断線や配線抵抗の増大による電圧降下の問題が生じ第１及び第２ダミー走査電極１１ａ，１１ｂが期待する動作をしないことが予想される。
【０１０３】
図７に示す液晶セル１００は、端子の数（電極の数）が異なる点と遮光膜が形成されていない点が第１実施形態と異なるが、基本構成は第１実施形態の液晶セル１００と同一構成である。また、第１ダミー走査電極１１ａはＮ本目（Ｎ＝８）の正規の走査電極１１に接続され、第２ダミー走査電極１１ｂは第１ダミー走査電極１１ａの外側を回って１本目の正規の走査電極１１に接続されている点が異なる。これは、第１実施形態で示される接続形態のうち考えられる最も長距離の接続の事例である。
【０１０４】
このような接続は、例えば、走査電極１１を構成する導電性薄膜がＡｌ等の充分比抵抗が小さい材料であれば問題は無い。しかしながら、走査電極１１の材料が必ずしもＡｌであるとは限らず、抵抗の低い接続を実現するためには対向側基板１０の製造工程を増やし、新たに低抵抗薄膜の成膜、フォトレジストの塗布、露光、現像、エッチング及びレジストの剥離といったことが必要となり、製造上甚だ不都合である。
【０１０５】
そこで、第１及び第２ダミー走査電極１１ａ，１１ｂと正規の走査電極１１，１１との接続が寸法精度を必要としない点に発明者は着目した。
【０１０６】
すなわち、接続を構成する配線を対向側基板１０上に存在する導電材料ではなく、素子側基板１上に存在する導電材料で構成するということに想到した。
【０１０７】
図８は、このような新規の接続が施された実施形態３に係る液晶表示装置の液晶セル１００を示す平面図である。図８では、液晶セル１００の対向側基板１０を紙面手前に、及び素子側基板１を紙面奥にそれぞれ配置した状態を示している。
【０１０８】
この液晶セル１００は、相互に対向するように設けられた素子側基板１及び対向側基板１０と、それらの両基板に狭持されるように設けられた液晶層（誘電性材料層）とからなる。
【０１０９】
素子側基板１の液晶層側には、所定の間隔でマトリクス状に画素電極５が配設されている。各画素電極５は薄膜ダイオード（図示せず）を介して信号配線２に接続され、また、信号配線２は素子側端子電極６に引き出されている。
【０１１０】
対向側基板１０の液晶層側には、所定寸法の正規の走査電極１１が間隔をおいてＮ本設けられており、各走査電極１１は対向側端子電極１２に接続されている。
【０１１１】
このような素子側基板１と対向側基板１０とは、それぞれ配向処理が行われた後、シール材９を介してスペーサ（図示せず）を利用して所定の間隔を維持すると共に、信号配線２の延びる方向と走査電極１１の延びる方向とが直交し且つ画素電極５と走査電極１１とが向かい合うように貼り合わされており、走査電極１１が延びる方向に並んだ複数の画素電極５が電極群を構成している。両基板の間隙には液晶材料が封入されており、それが液晶層を構成しており、液晶層では液晶分子が所定の配向状態をとっている。そして、画素電極５と走査電極１１とそれらの間の液晶層とにより１つの表示画素が規定される。
【０１１２】
また、対向側基板１０の液晶層側には、１本目の走査電極１１の外側の０本目対応位置に第１ダミー走査電極１１ａ、及びＮ本目の走査電極１１の外側のＮ＋１本目対応位置に第２ダミー走査電極１１ｂがそれぞれ設けられている。
【０１１３】
さらに、素子側基板１の液晶層側には、液晶層を介して第１ダミー走査電極１１ａに対向し且つそれに沿って並んだ第１ダミー画素電極５ａの電極群が設けられている。また、各第１ダミー画素電極５ａは薄膜ダイオード（図示せず）を介して信号配線２に接続されている。同様に、素子側基板１の液晶層側には、液晶層を介して第２ダミー走査電極１１ｂに対向し且つそれに沿って並んだ第２ダミー画素電極５ｂの電極群が設けられている。また、各第２ダミー画素電極５ｂもまた薄膜ダイオード（図示せず）を介して信号配線２に接続されている。これらの第１及び第２ダミー画素電極５ａ，５ｂは正規の画素電極５と同一の構成と寸法を有する。
【０１１４】
対向側基板１０の液晶層側とは反対側には、偏光板などの光学フィルム１５（図示せず）が貼り付けられている。
【０１１５】
本実施形態に係る液晶セル１００においては、第１ダミー走査電極１１ａはＮ本目の正規の走査電極１１に接続されているが、この接続は以下の（Ａ１）から（Ａ７）までの要素を介して実現されている。
（Ａ１）第１ダミー走査電極１１ａ
（Ａ２）第１ダミー走査電極１１ａから延びてシール材９の外側隅部に引き出された取り出し電極２０ａ
（Ａ３）対向側基板１０の取り出し電極２０ａに接触するように設けられた導電材１９ａ
（Ａ４）一端が導電材１９ａに接触し走査電極の延びる方向と直交した方向に延びるように素子側基板１に設けられた電極１８ａ
（Ａ５）素子側基板１の電極１８ａの他端に接触するように設けられた導電材１９ｂ
（Ａ６）Ｎ本目の正規の走査電極１１から導電材１９ｂに接触するように延びてシール材９の外側隅部に引き出された取り出し電極２０ｂ
（Ａ７）Ｎ本目の正規の走査電極１１。
【０１１６】
また、第２ダミー走査電極１１ｂは１本目の正規の走査電極１１に接続されているが、この接続は以下の（Ｂ１）から（Ｂ７）までの要素を介して実現されている。
（Ｂ１）第２ダミー走査電極１１ｂ
（Ｂ２）第２ダミー走査電極１１ｂから延びてシール材９の外側隅部に引き出された取り出し電極２０ｃ
（Ｂ３）対向側基板１０の取り出し電極２０ｃに接触するように設けられた導電材１９ｃ
（Ｂ４）一端が導電材１９ｃに接触し走査電極の延びる方向と直交した方向に延びるように素子側基板１に設けられた電極１８ｂ
（Ｂ５）素子側基板１の電極１８ｂの他端に接触するように設けられた導電材１９ｄ
（Ｂ６）１本目の正規の走査電極１１から導電材１９ｄに接触するように延びてシール材９の外側隅部に引き出された取り出し電極２０ｄ
（Ａ７）１本目の正規の走査電極１１。
【０１１７】
上記の導電材１９ａ〜１９ｄとは、例えば、カーボンペーストや表面に導電性材料をコーティングした粒子を使用することができる。
【０１１８】
電極１８ａ及び１８ｂは、素子側基板１内側の画素電極５や薄膜ダイオード（図示せず）や信号配線２を構成する電極材料の少なくとも１つを利用して形成させることができる。この電極材料としては、例えばＴａ、Ｔｉ、Ｃｒを使用することができ、これらの単層膜や積層膜を使用することができる。
【０１１９】
従って、本実施形態によれば、第１ダミー走査電極１１ａと正規の走査電極１１との接続を低抵抗にできると共に、第２ダミー走査電極１１ｂと正規の走査電極１１との接続をも低抵抗にすることができる。何故ならば、第１及び第２ダミー走査電極１１ａ，１１ｂと正規の走査電極１１，１１との接続を構成する経路の大部分が素子側基板１上の電極１８ａ，１８ｂで構成されているからである。
【０１２０】
上記の対向側基板１０の取り出し電極２０ａ〜２０ｄと素子側基板１上の電極１８ａ，１８ｂは、従来の製造方法に使用するフォトマスクの変更で形成可能である。尚、対向側基板１０の取り出し電極２０ａ〜２０ｄと素子側基板１の電極１８ａ，１８ｂとの接続はシール材９の形状変更と導電材１９ａ〜１９ｄの塗布が必要であるが、実質的に導電材１９ａ〜１９ｄの塗布のみを製造工程に追加するだけであり、当業者にとって困難なものではない。
【０１２１】
また、シール材９の形状変更をしない代わりに、シール材９中に導電性粒子を含有させ対向側基板１０の取り出し電極２０ａ〜２０ｄと素子側基板１の電極１８ａ，１８ｂとの接続をシール材９を介してするようにしてもよい。
【０１２２】
以上、本実施形態では、第１及び第２ダミー走査電極１１ａ，１１ｂと正規の走査電極１１，１１との接続が長距離であっても低抵抗で実現できる方法を提示した。本実施形態の構成は、液晶セル１００の外形が大きい場合や、第１及び第２ダミー走査電極１１ａ，１１ｂと正規の走査電極１１の接続が高抵抗材料であったり接続幅が狭くなるような場合であっても不都合がないものとすることができる。すなわち、電極パターンの設計をより自由度が増したものとすることができるという効果をも奏する。
【０１２３】
その他の作用効果は実施形態１と同一である。
【０１２４】
（第４の実施の形態）
図９は、第４実施形態に係る液晶表示装置の液晶セル１００の平面図である。図９では、対向側基板１０を紙面手前に、及び素子側基板１を紙面奥にそれぞれ配置した状態を示している。
【０１２５】
第１〜３実施形態では、素子側端子電極６と対向側端子電極１２とが個別の辺に取り出される形態を示したが、電極構造はこの形態に限って適用できるものではなく、例えば、図９に図示するように素子側端子電極６と対向側端子電極１２とが液晶セル１００の周囲の１辺（図では下側の辺）に設けられている形態でも適用できる。
【０１２６】
この液晶セル１００は、相互に対向するように設けられた素子側基板１及び対向側基板１０と、それらの両基板に狭持されるように設けられた液晶層（誘電性材料層）とからなる。
【０１２７】
素子側基板１の液晶層側には、所定の間隔でマトリクス状に画素電極５が配設されている。各画素電極５は薄膜ダイオード（図示せず）を介して信号配線２に接続され、また、各信号配線２は紙面下の液晶セル１００の１辺のシール材９まで延びて素子側端子電極６に接続されている。
【０１２８】
対向側基板１０の液晶層側には、正規の走査電極１１と第１及び第２ダミー走査電極１１ａ、１１ｂとが所定の寸法と間隔で形成されている。正規の走査電極１１は、半数が紙面左右に延び且つ左端で９０°延びる方向を変えて紙面下の液晶セル１００の１辺のシール材９まで延びている。また、それらは、各々、シール材９に含有された導電性粒子を介して素子側基板１に設けられた対向側端子電極１２に接続されている。他方、残りの半分の正規の走査電極１１は、紙面左右方向に延び且つ右端で９０°延びる方向を変えて紙面下の液晶セル１００の１辺のシール材９まで延びている。また、それらは、各々、シール材９に含有された導電性粒子を介して素子側基板１に設けられた対向側端子電極１２に接続されている。第１ダミー走査電極１１ａは正規の走査電極１１群のほぼ中央に位置する所定の１つの正規の走査電極１１に接続されている。また、第２ダミー走査電極１１ｂは正規の走査電極１１群のほぼ中央に位置する所定の１つの正規の走査電極１１に接続されている。
【０１２９】
このような素子側基板１と対向側基板１０とは、それぞれ配向処理が行われた後、シール材９を介してスペーサ（図示です）を利用して所定の間隔を維持すると共に、信号配線２の延びる方向と走査電極１１の延びる方向とが直交し且つ画素電極５と走査電極１１とが向かい合うように貼り合わされており、走査電極１１が延びる方向に並んだ複数の画素電極５が電極群を構成している。両基板の間隙には液晶材料が封入されており、それが液晶層を構成しており、液晶層では液晶分子が所定の配向状態をとっている。そして、画素電極５と走査電極１１とそれらの間の液晶層とにより１つの表示画素が規定される。
【０１３０】
また、対向側基板１０の液晶層側には、１本目の走査電極１１の外側の０本目対応位置に第１ダミー走査電極１１ａ、及びＮ本目の走査電極１１の外側のＮ＋１本目対応位置に第２ダミー走査電極１１ｂがそれぞれ設けられている。さらに、素子側基板１の液晶層側には、液晶層を介して第１ダミー走査電極１１ａに対向し且つそれに沿って並んだ第１ダミー画素電極（図示せず）の電極群が設けられている。また、各第１ダミー走査電極は薄膜ダイオード（図示せず）を介して信号配線２に接続されている。同様に、素子側基板１の液晶層側には、液晶層を介して第２ダミー走査電極１１ｂに対向し且つそれに沿って並んだ第２ダミー画素電極５ｂの電極群が設けられている。また、各第２ダミー画素電極５ｂもまた薄膜ダイオード（図示せず）を介して信号配線２に接続されている。これらの第１及び第２ダミー画素電極５ｂは正規の画素電極５と同一の構成と寸法を有する。
【０１３１】
対向側基板１０の液晶層側とは反対側には、偏光板などの光学フィルム１５が貼り付けられている。
【０１３２】
このような電極形態を有する液晶表示装置は、例えば携帯電話に適用されることが多く、表示装置の横寸法を小さくできるという利点がある。一方、走査電極１１から端子までの引き回しが密集し易く、ダミー電極（ダミー走査電極、ダミー画素電極）等の他の目的の電極配線を追加できるようなスペースはほとんど残されていない。また、液晶セル１００の１辺に対向側端子電極１２と素子側端子電極６とを密に配置する必要もあり、ダミー電極用等の他の目的の端子電極を設けるには困難を伴い設計上の自由度はあまり無いデメリットも有する。
【０１３３】
しかしながら、本実施形態によれば、引き回しや液晶セル１００の外側に取り出される素子側端子電極６や対向側端子電極１２の配置の形態に左右されずに、第１及び第２ダミー走査電極１１ａ，１１ｂが設けられている。なぜならば、第１ダミー走査電極１１ａの接続先となる正規の走査電極１１と、第２ダミー走査電極１１ｂの接続先となる正規の走査電極１１が、第１実施形態、第２実施形態のところで説明した通りに比較的自由に選択できるからである。例えば従来の構成として示した図１９や図２０のものに倣ったダミー走査電極の配置ではかかる形態の液晶セル１００に対応することができないことを考慮すれば、本実施形態の利点が明瞭に理解できる。
【０１３４】
また、本実施形態の第１及び第２ダミー走査電極１１ａ，１１ｂはダミーの対向側端子電極を必要としないことが特徴であり、図９に図示するような液晶セル１００の１辺に精細なピッチで配置される端子電極があったとしてもそのレイアウトになんら制限を与えることがないという効果をも有する。つまりは液晶セル１００の電極設計に影響を与えずに第１及び第２ダミー走査電極１１ａ，１１ｂが設けられているのである。
【０１３５】
その他の作用効果は第１実施形態と同一である。
【０１３６】
（第５の実施の形態）
図１０は、第５実施形態に係る液晶表示装置の液晶セル１００の平面図である。図１０では、対向側基板１０を紙面手前に、及び素子側基板１を紙面奥にそれぞれ配置した状態を示している。図１１は、第１ダミー画素電極５ａが配置された近傍の斜視図である。本実施形態は、発明者が実験で得た知見（１）に基づいたものである。
【０１３７】
知見（１）とは、容量結合の形成を目的とたダミー電極（ダミー走査電極、ダミー画素電極）は表示画素群が構成する領域の１辺あたり１本あるいは１行で充分であるということである。これは即ち表示画素群領域の周囲であって容量結合の形成を目的としたダミー電極が存在しない領域に他の構成のダミー電極を自由な構成で自由な位置に配置することができることを意味している。
【０１３８】
一般的には、ダミー走査電極やダミー画素電極に代表されるダミー電極は様々な目的で配置されるが、表示画素を構成する電極と同一材料、同一寸法（間隔）で複数個配置されることが多い。特に製造工程中の静電気による不良を防ぐためには素子付きのダミー画素電極を表示画素群領域の周囲に多数個形成すると非常に効果的である。しかしながら、不用意に多数個のダミー画素電極を表示画素と同一寸法で配置すると液晶セル１００の外形が大きくなる。これはマザー基板から複数個の液晶セル１００を同時に形成することが多い液晶セル１００の製造においては、マザー基板１枚あたりの液晶セル１００の取り数が減少し、製造コストの上昇に直結することから極めて不都合である。
【０１３９】
これに対して、液晶セル１００の外形を大きくせずに多数のダミー画素電極を配置させるために、ダミー画素電極の平面形状の外寸法を正規の画素電極よりも小さくすることが考えられる。しかしながら、ダミー画素電極が有する回路定数が正規の画素電極と異なってしまうので、このような小さいダミー画素電極が正規の画素電極に隣接すると容量結合が不均一になり、結果として表示画素群領域の外周位置の表示画素の表示濃度が不均一になるという問題を解消できなくなる。
【０１４０】
そこで、本発明者は、表示画素群領域の周囲に配置するダミー電極を少なくとも２種類に分け、一方を表示画素に隣接し少なくとも表示画素を構成する電極と平面形状の外寸法が同一であるダミー電極とし、他方を表示画素を構成する電極と平面形状の外寸法が異なる他のダミー電極を配置することに想到するに至った。すなわち、表示画素群領域の周囲にまず容量結合の形成を目的としたダミー電極を配置し、さらに、その外側に他の目的を有するダミー電極を設けるのである。
【０１４１】
この液晶セル１００は、相互に対向するように設けられた素子側基板１及び対向側基板１０と、それらの両基板に狭持されるように設けられた液晶層（誘電性材料層）とからなる。
【０１４２】
素子側基板１の液晶層側には、所定の間隔でマトリクス状に画素電極５が配設されている。各画素電極５は薄膜ダイオード４を介して信号配線２に接続され、また、信号配線２は素子側端子電極６に引き出されている。
【０１４３】
対向側基板１０の液晶層側には、所定寸法の正規の走査電極１１が間隔をおいてＮ本設けられており、各走査電極１１は対向側端子電極１２に接続されている。
【０１４４】
このような素子側基板１と対向側基板１０とは、それぞれ配向処理が行われた後、シール材９を介してスペーサ（図示せず）を利用して所定の間隔を維持すると共に、信号配線２の延びる方向と走査電極１１の延びる方向とが直交し且つ画素電極５と走査電極１１とが向かい合うように貼り合わされており、走査電極１１が延びる方向に並んだ複数の画素電極５が電極群を構成している。両基板の間隙には液晶材料が封入されており、それが液晶層を構成しており、液晶層では液晶分子が所定の配向状態をとっている。そして、画素電極５と走査電極１１とそれらの間の液晶層とにより１つの表示画素が規定される。
【０１４５】
また、対向側基板１０の液晶層側には、１本目の走査電極１１の外側の０本目の走査電極対応位置に第１ダミー走査電極１１ａ及びＮ本目の走査電極の外側のＮ＋１本目の走査電極対応位置に第２ダミー走査電極１１ｂが、それぞれ正規の走査電極１１と同一寸法、同一材料で設けられている。本実施形態では、第１ダミー走査電極１１ａが２本目の正規の走査電極１１に接続され、第２走査電極１１ｂがＮ−１本目の正規の走査電極１１に接続されている。
【０１４６】
素子側基板１の液晶層側には、液晶層を介して第１ダミー走査電極１１ａに対向し且つそれに沿って並んだ第１ダミー画素電極５ａの電極群が設けられている。また、各第１ダミー画素電極５ａは薄膜ダイオード４ａを介して信号配線２に接続されている。同様に、素子側基板１の液晶層側には、液晶層を介して第２ダミー走査電極１１ｂに対向し且つそれに沿って並んだ第２ダミー画素電極５ｂの電極群が設けられている。また、各第２ダミー画素電極５ｂもまた薄膜ダイオード（図示せず）を介して信号配線２に接続されている。これらの第１及び第２ダミー画素電極５ａ，５ｂは正規の画素電極５と同一の構成と寸法を有する。
【０１４７】
対向側基板１０の液晶層側とは反対側には、偏光板などの光学フィルム１５が貼り付けられている。また、対向側基板１０の液晶層側には、表示画素群領域の周囲に遮光膜１７が設けられている。
【０１４８】
本実施形態における液晶セル１００では、表示画素群領域の周囲であって且つ第１及び第２ダミー走査電極１１ａ，１１ｂが存在しない領域に、構成の異なる走査電極側第３及び第４ダミー電極１１ｃ，１１ｄ、並びに画素電極側第３及び第４ダミー電極５ｃ，５ｄが配設されていることを特徴としている。
【０１４９】
つまり、対向側基板１０の液晶層側には、第１及び第２走査電極１１ａ，１１ｂのそれぞれの外側に、正規の走査電極１１に並行して、それよりも幅の狭い走査電極側第３及び第４ダミー電極１１ｃ，１１ｄが３本ずつ設けられている。また、走査電極側第３及び第４ダミー電極１１ｃ，１１ｄは正規の走査電極１１（第１及び第２ダミー走査電極１１ａ，１１ｂ）よりも間隔が短く密に配置されている。走査電極側第３及び第４ダミー電極１１ｃ，１１ｄは容量結合を生ぜしめることが目的ではないので電気的な接続形態に制限は無い。例えば、電気的に浮かせたり、他の電極に接続させることができる。本実施形態では３本ずつの走査電極側第３及び第４ダミー電極１１ｃ，１１ｄがまとめて１つの正規の走査電極１１に接続されている。
【０１５０】
素子側基板１の液晶層側には、第１及び第２ダミー画素電極５ａ，５ｂの電極群の外側に、それぞれ正規の画素電極５、第１及び第２ダミー画素電極５ａ，５ｂよりも平面形状の外寸法の小さいダミーの画素電極で構成された画素電極側第３及び第４ダミー電極５ｃ，５ｄの電極群が走査電極側第３及び第４ダミー電極１１ｃ，１１ｄに対応して３行ずつ設けられている。また、各画素電極側第３及び第４ダミー電極５ｃ，５ｄはそれぞれ薄膜ダイオード４ｃ，４ｄ（図示せず）を介して信号配線２に接続されている。これらの画素電極側第３及び第４ダミー電極５ｃ，５ｄは、走査電極側第３及び第４ダミー電極１１ｃ，１１ｄの場合と同様、正規の画素電極５（第１及び第２ダミー画素電極５ａ，５ｂ）よりも間隔が短く密に配設されている。薄膜ダイオード４ｃ，４ｄは、正規の薄膜ダイオード４と同一構成、寸法とされている。
【０１５１】
本実施形態によれば、以下の効果を奏する。
【０１５２】
すなわち、まず、正規の画素電極１１と少なくとも平面形状の外寸法が等しい第１及び第２ダミー画素電極５ａ，５ｂと第１及び第２ダミー走査電極が配置されているので、表示画素群領域の端に位置する表示画素に容量結合ＣSを生ぜしめることができ、その結果、その表示画素の表示濃度が他の表示画素の表示濃度と同一になる。また、第１及び第２ダミー走査電極１１ａ，１１ｂは正規の走査電極１１に接続されているので、ダミー電極用の対向側端子電極を用意する必要がない。
【０１５３】
次に、第１及び第２ダミー走査電極１１ａ，ｌ１ｂのそれぞれのさらに外側に走査電極側第３及び第４ダミー電極１１ｃ，１１ｄが設けられているのに加え、第１及び第２ダミー画素電極５ａ，５ｂの外側に薄膜ダイオード４ｃを備えた画素電極側第３及び第４ダミー電極５ｃ，５ｄが設けられているので、液晶セル１００の製造工程中に静電気が生じても、この薄膜ダイオード４ｃ，４ｄ（図示せず）が先に破壊されて表示画素群領域の表示画素の薄膜ダイオード４が破壊されずに済めば、それが不良になることを防ぐことができる。
【０１５４】
画素電極側第３及び第４ダミー電極５ｃ，５ｄは正規の画素電極５よりも平面形状の外寸法が小さいので複数個設けても液晶セル１００の外形を大きくなることがない。従って、特に多数個の画素電極側第３及び第４ダミー電極５ｃ，５ｄを設けても液晶セル１００の外形がほとんど変わらないので、マザー基板から取れる液晶セル１００の数が減ることが無いという利点がある。
【０１５５】
画素電極側第３及び第４ダミー電極５ｃ，５ｄ、並びに走査電極側第３及び第４ダミー電極１１ｃ，１１ｄはそれぞれ３本に限る必要はない。少なくとも薄膜ダイオード等のスイッチング素子を備えた画素電極側第３及び第４ダミー電極５ｃ，５ｄをより多数の配列で形成すると効果的である。走査電極側第３及び第４ダミー電極１１ｃ，１１ｄはそれぞれ画素電極側第３及び第４ダミー電極５ｃ，５ｄの対向電極であればよく、それらの行数に合わせて同じ数の走査電極側第３及び第４ダミー電極１１ｃ，１１ｄを設ける必要は無い。例えば、１つの大きなべた状の電極であってもよく、この１つの走査電極側第３及び第４ダミー電極１１ｃ，１１ｄに複数行の画素電極側第３及び第４ダミー電極５ｃ，５ｄが対向する形態でもかまわない。但し、表示画素群領域に隣接した容量結合の形成を目的としたダミー電極の配列数よりも外側に形成されるダミー電極の配列数の方を多くすることが、表示の均一化と静電気対策との両方に対して最大の効果を発揮させるには有効である。つまり、一般的に表示画素群は矩形状の領域になるが、この領域の周囲の少なくとも１辺に隣接して容量結合を目的としたダミー電極が１本配置され、さらに外側領域に複数本でダミー電極が配置される形態が良くこの形態が最も液晶セル１００の外形が大きくならない構成になる。
【０１５６】
また、第１及び第２ダミー走査電極１１ａ，１１ｂは正規の走査電極１１に接続された構造となっているが、第１及び第２ダミー走査電極１１ａ，１１ｂが例えば従来の液晶セルである図１９や図２０に図示されるように正規の走査電極１１と独立した構造であっても、本実施形態の発明の主旨である２種類のダミー電極の適切な配置構造によって、容量結合による表示の不均一性の解消と効果的な静電気対策を施すことができる効果が得られることは言うまでもない。
【０１５７】
尚、第３及び第４ダミー電極として、薄膜ダイオード４ｃ，４ｄ（図示せず）を備えた画素電極側第３及び第４ダミー電極５ｃ，５ｄ、並びに走査電極側第３及び第４ダミー電極１１ｃ，１１ｄを挙げたがこれに限らない。例えば、以下（１）から（５）に示す電極を第３及び第４ダミー電極として素子側基板１又は対向側基板１０の少なくとも一方に設けるようにしてもよい。
（１）液晶層の厚み制御を目的とした第３及び第４ダミー電極。例えば、表示画素を構成する電極材料を用いて表示画素群領域周囲に配置する。形状や数は当業者が決定して良いが、配線や画素電極に似たパターンと密度で形成する。
（２）素子側基板１と対向側基板１０との間隙を維持するために基板間に介在しているスペーサを、液晶セル１００の製造工程中の基板上に散布する時に基板表面の帯電状態を制御することを目的とした第３及び第４ダミー電極。例えば、表面が画素電極と同一材料である第３ダミー電極を表示画素群領域周囲に任意の形状と数で形成する。
（３）液晶層中の不純物を吸着させることを目的とした第３及び第４ダミー電極。例えば、外部から電位を与えられた電極であり、液晶を注入する為にシール材９の一部に設けられた開口部付近や、表示画素群領域の周囲に設けられる。
（４）液晶セル１００の表示画素群領域外の色見調整を目的とした第３及び第４ダミー電極。例えば、表示画素を構成する電極と同一材料を用いて、透過率や反射率を調整するパターンが表示画素群領域周囲に設けられる。
（５）正規の配線や電極の断線を補修するための冗長配線の第３及び第４ダミー電極。例えば、正規の配線や電極に対して並列配置されたり迂回経路となっている電極。
【０１５８】
上記に挙げた第３及び第４ダミー電極は、その構成や材料、寸法は自由である。なぜならば、第３及び第４ダミー電極と表示画素群領域の間に、表示画素を構成する電極と平面形状の外寸法が等しい容量結合の形成を目的とした第１及び第２ダミー電極が設けられているので、第３及び第４ダミー電極に関しては容量結合の観点すなわち等価回路の観点からの制限が与えられていないからである。よって容量結合の形成を目的とした第１及び第２ダミー電極のすぐ傍の領域から第３及び第４ダミー電極を配置しても表示画素は均一に表示され、第３及び第４ダミー電極に当業者が期待する機能を持たせることができる利点を有するのである。
【０１５９】
尚、表示画素群領域の周囲に各種の第１〜第４ダミー電極を設けているので、これらのダミー電極が表示される恐れがある。しかしながら、表示画素群領域の周囲に遮光膜１７が設けられているので、表示装置の使用者に美観上不快感を与えるのが避けられる。この遮光膜１７は、対向側基板１０だけでなく素子側基板１内側又はあるいは液晶セル１００外側表面に設けることもできる。
【０１６０】
また、第３及び第４ダミー電極の外側に液晶セル１００の外形の縁に向かってさらなるダミー電極を形成して良い。
【０１６１】
その他の作用効果は第１実施形態と同一である。
【０１６２】
（その他の実施形態）
以上薄膜ダイオードを有する液晶表示装置を例として実施形態を説明したがその適用範囲はこれに限らない。第１〜第５実施形態では、誘電性材料として液晶材料を用いた表示装置としたが、液晶材料ではなく他の誘電性材料、例えば無機発光材料や有機発光材料を電極間に狭持した表示装置であってもよく、要は走査電極と画素電極とを有し、これらの電極間に誘電性材料が挟持され、隣接した電極において寄生容量が生じる表示装置であれば適用が可能である。
【産業上の利用可能性】
【０１６３】
本発明は、表示装置について有用である。
【図面の簡単な説明】
【０１６４】
【図１】第１実施形態に係る液晶表示装置の液晶セルの平面図である。
【図２】第１実施形態に係る液晶表示装置の液晶セルの一部分を拡大した斜視図である。
【図３】第１実施形態に係る液晶表示装置の液晶セルの走査電極に印加される走査信号を説明するための波形図である。
【図４】第１実施形態に係る液晶表示装置の液晶セルの変形例を示す斜視図である。
【図５】第２実施形態に係る液晶表示装置の液晶セルの平面図である。
【図６】第２実施形態に係る液晶表示装置の液晶セルの走査電極に印加される走査信号を説明するための波形図である。
【図７】第１実施形態に係る液晶表示装置の液晶セルの別の変形例の平面図である。
【図８】第３実施形態に係る液晶表示装置の液晶セルの平面図である。
【図９】第４実施形態に係る液晶表示装置の液晶セルの平面図である。
【図１０】第５実施形態に係る液晶表示装置の液晶セルの平面図である。
【図１１】第５実施形態に係る液晶表示装置の液晶セルの一部分を拡大した斜視図である。
【図１２】実験概要を説明するための説明図である。
【図１３】従来の液晶表示装置の液晶セルの一部分を拡大した斜視図である。
【図１４】従来の液晶表示装置の斜視図である。
【図１５】従来の液晶表示装置の液晶セルの平面図である。
【図１６】従来の液晶表示装置の液晶セルを構成する基板の一部分を拡大した斜視図である。
【図１７】従来の液晶表示装置の駆動波形を説明するための図である。
【図１８】従来の液晶表示装潰の他の駆動波形を説明するための図である。
【図１９】従来の表示不均一を解消するための構成を有する液晶表示装置の液晶セルの平面図である。
【図２０】従来の表示不均一を解消するための他の構成を有する液晶表示装置の液晶セルの平面図である。
【符号の説明】
【０１６５】
１  素子側基板
２  信号配線
２ａ  下部電極
３  上部電極
４，４ａ，４ｃ  薄膜ダイオード
５  画素電極
５ａ  第１ダミー画素電極
５ｂ  第２ダミー画素電極
５ｃ  画素電極側第３ダミー電極
５ｄ  画素電極側第４ダミー電極
６  素子側端子電極
７  データ信号回路基板
８  データ信号駆動用ＩＣチップ
９  シール材
１０  対向側基板
１１  走査電極
１１ａ  第１ダミー走査電極
１１ｂ  第２ダミー走査電極
１１ｃ  走査電極側第３ダミー電極
１１ｄ  走査電極側第４ダミー電極
１２  対向側端子電極
１２ａ，１２ｂ  ダミー対向側端子電極
１３  走査信号回路基板
１４  走査信号駆動用ＩＣチップ
１５  光学フィルム
１６  下地膜
１７  遮光膜
１８ａ，１８ｂ  電極
１９ａ〜１９ｄ  導電材
２０ａ〜２０ｄ  取り出し電極
１００  液晶セル